(57)【要約】本発明は情報取得方法、情報取得装置及び情報取得システム、プログラム及び記録媒体に関し、応答発信分野に属する。前記方法は、電話サービス応答システムと音声通話を行う際に、前記電話サービス応答システムとのデータチャンネルを構築するステップと、前記データチャンネルを介して情報取得ページを取得するステップと、前記情報取得ページを表示するステップと、前記情報取得ページにおいてフィードバック情報を受け付けた場合、前記データチャンネルを介して前記電話サービス応答システムにフィードバック情報を送信するステップと、を含む。本発明では、データチャンネルを介して情報取得ページを取得するとともに該情報取得ページを介して満足度調査を行うことで、従来技術におけるユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。【選択図】図２
2017502433.tif 000002
【特許請求の範囲】
【請求項１】
電話サービス応答システムと音声通話を行う際に、前記電話サービス応答システムとのデータチャンネルを構築するステップと、
前記データチャンネルを介して前記電話サービス応答システムから提供される情報取得ページを取得するステップと、
前記情報取得ページを表示するステップと、
前記情報取得ページにおいてフィードバック情報を受け付けた場合、前記データチャンネルを介して前記電話サービス応答システムに前記フィードバック情報を送信するステップと、を含む
ことを特徴とする情報取得方法。
【請求項２】
前記データチャンネルを介して前記電話サービス応答システムから提供される情報取得ページを取得するステップは、
前記データチャンネルを介して前記電話サービス応答システムからウェブページ形式にて提供された情報取得ページを取得する
ことを特徴とする請求項１に記載の方法。
【請求項３】
前記データチャンネルを介して前記電話サービス応答システムからウェブページ形式にて提供された情報取得ページを取得するステップは、
前記データチャンネルを介して前記電話サービス応答システムにページ取得請求を送信し、前記電話サービス応答システムから前記ページ取得請求に応じてフィードバックされたウェブページ形式の前記情報取得ページを受信するステップ、
及び／又は、
前記データチャンネルを介して前記電話サービス応答システムからプッシュされたウェブページ形式の前記情報取得ページを受信するステップと、を含む
ことを特徴とする請求項２に記載の方法。
【請求項４】
前記情報取得ページは、ツリー状メニュー構造に従い形成される１つ以上のページを含むことを特徴とする請求項２又は３に記載の方法。
【請求項５】
前記情報取得ページを表示するステップは、
前記電話サービス応答システムと音声通話を行う通話インターフェースにおいて、ウェブページ形式にて前記情報取得ページをローディングして表示する
ことを特徴とする請求項２又は３に記載の方法。
【請求項６】
前記電話サービス応答システムと音声通話を行う通話インターフェースにおいて、ウェブページ形式にて前記情報取得ページをローディングして表示するステップは、
ユーザがトリガーした表示制御信号を受信するステップ、及び／又は、前記電話サービス応答システムから送信された表示制御信号を受信するステップと、
前記表示制御信号に基づいて前記通話インターフェースにおいて前記情報取得ページを表示するステップと、を含む
ことを特徴とする請求項５に記載の方法。
【請求項７】
前記方法はさらに、
前記電話サービス応答システムに対応する最新バージョンの前記情報取得ページがキャッシングされているか否かを判定するステップと、
前記情報取得ページがキャッシングされていないと判定された場合、前記データチャンネルを介して前記電話サービス応答システムから提供される情報取得ページを取得するステップを実行するステップと、
前記情報取得ページがキャッシングされていると判定された場合、前記情報取得ページを表示するステップを実行するステップと、を含む
ことを特徴とする請求項１〜３のいずれか１項に記載の方法。
【請求項８】
前記電話サービス応答システムとのデータチャンネルを構築するステップは、
前記電話サービス応答システムと直接的に前記データチャンネルを構築するステップ、
又は、
第三者サービスプラットホームを介して、自端において前記電話サービス応答システムとの間で前記データチャンネルを構築するステップを含む
ことを特徴とする請求項１〜３のいずれか１項に記載の方法。
【請求項９】
ユーザ端末と音声通話を行う際に、前記ユーザ端末とのデータチャンネルを構築するステップと、
前記データチャンネルを介して、情報取得ページを表示すると共に前記情報取得ページにおいてフィードバック情報を受け付けるための前記ユーザ端末に、前記情報取得ページを提供するステップと、
前記ユーザ端末から前記データチャンネルを介して送信された前記フィードバック情報を受信する
ことを特徴とする情報取得方法。
【請求項１０】
前記データチャンネルを介して前記ユーザ端末に情報取得ページを提供するステップは、
前記データチャンネルを介してウェブページ形式にて前記ユーザ端末に前記情報取得ページを提供するステップを、含む
ことを特徴とする請求項９に記載の方法。
【請求項１１】
前記データチャンネルを介してウェブページにて前記ユーザ端末に前記情報取得ページを提供するステップは、
前記データチャンネルを介して前記ユーザ端末から送信されたページ取得請求を受信し、前記ページ取得請求に応じて前記ユーザ端末にウェブページ形式の前記情報取得ページを提供するステップ、
及び／又は、
前記データチャンネルを介して前記ユーザ端末にウェブページ形式の前記情報取得ページをプッシュするステップ、を含む
ことを特徴とする請求項１０に記載の方法。
【請求項１２】
前記情報取得ページは、ツリー状メニュー構造に従い形成される１つ以上のページを含む
ことを特徴とする請求項１０又は１１に記載の方法。
【請求項１３】
前記方法は、さらに
表示制御指令を受信するステップと、
前記表示制御指令に応じて、表示制御信号に基づいて通話インターフェースにおいて前記情報取得ページを表示するための前記ユーザ端末に、前記表示制御信号を送信するステップと、を含む
ことを特徴とする請求項９〜１１のいずれか１項に記載の方法。
【請求項１４】
前記ユーザ端末とのデータチャンネルを構築するステップは、
前記ユーザ端末と直接的に前記データチャンネルを構築するステップ、
又は、
第三者サービスプラットホームを介して自端において前記ユーザ端末との間で前記データチャンネルを構築するステップを、含む
ことを特徴とする請求項９〜１１のいずれか１項に記載の方法。
【請求項１５】
電話サービス応答システムと音声通話を行う際に、前記電話サービス応答システムとのデータチャンネルを構築するように構成されているサービス応答チャンネルモジュールと、
前記データチャンネルを介して前記電話サービス応答システムから提供される情報取得ページを取得するように構成されているページ取得モジュールと、
前記情報取得ページを表示するように構成されているページ表示モジュールと、
前記情報取得ページにおいてフィードバック情報を受け付けた場合に、前記データチャンネルを介して前記電話サービス応答システムに前記フィードバック情報を送信するように構成されている情報送信モジュールと、を含む
ことを特徴とする情報取得装置。
【請求項１６】
前記ページ取得モジュールは、
前記データチャンネルを介して前記電話サービス応答システムからウェブページ形式にて提供された情報取得ページを取得するように構成されているウェブページ取得サブモジュールを含む
ことを特徴とする請求項１５に記載の装置。
【請求項１７】
前記ウェブページ取得サブモジュールは、
前記データチャンネルを介して前記電話サービス応答システムにページ取得請求を送信するように構成されている請求送信サブモジュール、及び前記電話サービス応答システムから前記ページ取得請求に応じてフィードバックされたウェブページ形式の前記情報取得ページを受信するように構成されているページ受信サブモジュール、
及び／又は、
前記データチャンネルを介して前記電話サービス応答システムからプッシュされたウェブページ形式の前記情報取得ページを受信するように構成されているプッシュ受信サブモジュールと、を含む
ことを特徴とする請求項１６に記載の装置。
【請求項１８】
前記情報取得ページは、ツリー状メニュー構造に従い形成される１つ以上のページを含むことを特徴とする請求項１６又は１７に記載の装置。
【請求項１９】
前記ページ表示モジュールは、
前記電話サービス応答システムと音声通話を行う通話インターフェースにおいて、ウェブページ形式にて前記情報取得ページをローディングして表示するように構成されているウェブページ表示サブモジュールを含む
ことを特徴とする請求項１６又は１７に記載の装置。
【請求項２０】
前記ウェブページ表示サブモジュールは、
ユーザがトリガーした表示制御信号を受信する、及び／又は、前記電話サービス応答システムから送信された表示制御信号を受信するように構成されている信号受信サブモジュールと、
前記表示制御信号に基づいて前記通話インターフェースにおいて前記情報取得ページを表示するように構成されている信号表示サブモジュールと、を含む
ことを特徴とする請求項１９に記載の装置。
【請求項２１】
前記装置は更に、
前記電話サービス応答システムに対応する最新バージョンの前記情報取得ページがキャッシングされているか否かを判定するように構成されているキャッシング判定モジュールと、
前記情報取得ページがキャッシングされていないと判定された場合、前記データチャンネルを介して前記電話サービス応答システムから提供された情報取得ページを取得するように構成されている前記ページ取得モジュールと、
前記情報取得ページがキャッシングされていると判定された場合、前記情報取得ページを表示するように構成されている前記ページ表示モジュールと、を含む
ことを特徴とする請求項１５〜１７のいずれか１項に記載の装置。
【請求項２２】
前記サービス応答チャンネルモジュールは、
前記電話サービス応答システムと前記データチャンネルを直接的に構築するように構成されているユーザ直接接続用サブモジュール、
又は、
第三者サービスプラットホームを介して自端において前記電話サービス応答システムとの間で前記データチャンネルを構築するように構成されているユーザ中継用サブモジュールを、含む
ことを特徴とする請求項１５〜１７のいずれか１項に記載の装置。
【請求項２３】
ユーザ端末と音声通話を行う際に、前記ユーザ端末とのデータチャンネルを構築するように構成されているユーザチャンネルモジュールと、
前記データチャンネルを介して、情報取得ページを表示するとともに前記情報取得ページにおいてフィードバック情報を受け付けるための前記ユーザ端末に、前記情報取得ページを提供するページ提供モジュールと、
前記ユーザ端末から前記データチャンネルを介して送信された前記フィードバック情報を受信する情報受信モジュールと、を含む
ことを特徴とする情報取得装置。
【請求項２４】
前記ページ提供モジュールは、
前記データチャンネルを介してウェブページ形式にて前記ユーザ端末に前記情報取得ページを提供するように構成されているウェブページ提供サブモジュールを含む
ことを特徴とする請求項２３に記載の装置。
【請求項２５】
前記ウェブページ提供サブモジュールは、
前記データチャンネルを介して前記ユーザ端末から送信されたページ取得請求を受信するように構成されている受信請求サブモジュール、及び、前記ページ取得請求に応じて前記ユーザ端末にウェブページ形式の前記情報取得ページを提供するように構成されているページ提供サブモジュール、
及び／又は、
前記データチャンネルを介して前記ユーザ端末にウェブページ形式の前記情報取得ページをプッシュするように構成されているページプッシュサブモジュール、を含む
ことを特徴とする請求項２４に記載の装置。
【請求項２６】
前記情報取得ページは、ツリー状メニュー構造に従い形成される１つ以上のページを含むことを特徴とする請求項２４又は２５に記載の装置。
【請求項２７】
前記装置はさらに、
表示制御指令を受信するように構成されている指令受信モジュールと、
前記表示制御指令に応じて、表示制御信号に基づいて通話インターフェースにおいて前記情報取得ページを表示するための前記ユーザ端末に、前記表示制御信号を送信するように構成されている信号送信モジュールと、を含む
ことを特徴とする請求項２３〜２５のいずれか１項に記載の装置。
【請求項２８】
前記ユーザチャンネルモジュールは、
直接的に前記ユーザ端末と前記データチャンネルを構築するように構成されているサービス応答直接接続用サブモジュール、
又は、
第三者サービスプラットホームを介して自端において前記ユーザ端末との間で前記データチャンネルを構築するように構成されているサービス応答中継用サブモジュールを、含む
ことを特徴とする請求項２３〜２５のいずれか１項に記載の装置。
【請求項２９】
プロセッサと、
前記プロセッサにより実行可能な指令を記憶するメモリと、を備え、
前記プロセッサは、
電話サービス応答システムと音声通話を行う際に前記電話サービス応答システムとのデータチャンネルを構築し、
前記データチャンネルを介して前記電話サービス応答システムから提供される情報取得ページを取得し、
前記情報取得ページを表示し、
前記情報取得ページにおいてフィードバック情報を受け付けた場合、前記データチャンネルを介して前記電話サービス応答システムに前記フィードバック情報を送信する
ことを特徴とする情報取得装置。
【請求項３０】
プロセッサと、
前記プロセッサにより実行可能な指令を記憶するメモリと、を備え、
前記プロセッサは、
ユーザ端末と音声通話を行う際に、前記ユーザ端末とのデータチャンネルを構築し、
前記データチャンネルを介して、情報取得ページを表示するとともに前記情報取得ページにおいてフィードバック情報を受け付けるための前記ユーザ端末に、前記情報取得ページを提供し、
前記ユーザ端末から前記データチャンネルを介して送信された前記フィードバック情報を受信する
ことを特徴とする情報取得装置。
【請求項３１】
請求項１５〜２２および２９のいずれか１項に記載の装置を含むユーザ端末と、
請求項２３〜２８および３０のいずれか１項に記載の装置を含む電話サービス応答システムとを含む、
ことを特徴とする情報取得システム。
【発明の詳細な説明】
【技術分野】
【０００１】
本願は、出願番号がＣＮ２０１４１０５０５４９７．２であって、出願日が２０１４年９月２６日である中国特許出願に基づき優先権を主張し、当該中国特許出願のすべての内容を本願に援用する。
【０００２】
本発明は応答発信技術分野に関し、特に、情報取得方法、情報取得装置及び情報取得システムに関する。
【背景技術】
【０００３】
電話サービス応答システムは、カスタマーサービス・スタッフの参与を要求する応答発信システムである。企業ユーザは一般的に電話サービス応答システムを用いて業務案内、業務の取扱、及びフィードバック調査などのサービスを提供する。
【０００４】
電話サービス応答システムを用いてユーザ満足度の調査を行うことを例として、ユーザ端末と電話サービス応答システムにおけるカスタマーサービス・スタッフとの通話が完了された後、電話サービス応答システムはユーザ端末に満足度調査用メッセージを送信しており、ユーザ端末は該満足度調査用メッセージを受信した後、該満足度調査用メッセージに要求されるフォーマットでメッセージにて満足度調査結果を回答し、そして、電話サービス応答システムはユーザ端末がメッセージにて回答した満足度調査結果を受けた後、該メッセージからユーザの満足度を抽出する。
【０００５】
発明者は、本発明を実現する過程において、上記の方式には少なくとも以下の欠陥があることを発見した。
【０００６】
電話サービス応答システムはメッセージを介してユーザの満足度調査結果を取得できるが、該方法はユーザによる多くの入力操作を必要とし、且つ、一旦メッセージ内容の入力フォーマットが間違ったら、ユーザ端末の満足度調査結果を取得できなくなり、過程全体の取得効率が比較的低い。
【発明の概要】
【０００７】
従来技術におけるユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題を解決するために、本発明の実施例は情報取得方法、情報取得装置及び情報取得システムを提供する。
【０００８】
前記技術案は以下のとおり、
本発明の実施例の第１の局面によれば、情報取得方法を提供し、該方法は、
電話サービス応答システムと音声通話を行う際に、前記電話サービス応答システムとのデータチャンネルを構築するステップと、
前記データチャンネルを介して前記電話サービス応答システムから提供される情報取得ページを取得するステップと、
前記情報取得ページを表示するステップと、
前記情報取得ページにおいてフィードバック情報を受け付けた場合、前記データチャンネルを介して前記電話サービス応答システムに前記フィードバック情報を送信するステップと、を含む。
【０００９】
前記データチャンネルを介して前記電話サービス応答システムから提供される情報取得ページを取得するステップは、
前記データチャンネルを介して前記電話サービス応答システムからウェブページ形式にて提供された情報取得ページを取得する。
【００１０】
好ましくは、前記データチャンネルを介して前記電話サービス応答システムから提供される情報取得ページを取得するステップは、
前記データチャンネルを介して前記電話サービス応答システムからウェブページ形式にて提供された情報取得ページを取得する。
【００１１】
好ましくは、前記データチャンネルを介して前記電話サービス応答システムからウェブページ形式にて提供された情報取得ページを取得するステップは、
前記データチャンネルを介して前記電話サービス応答システムにページ取得請求を送信し、前記電話サービス応答システムから前記ページ取得請求に応じてフィードバックされたウェブページ形式の前記情報取得ページを受信するステップ、
及び／又は、
前記データチャンネルを介して前記電話サービス応答システムからプッシュされたウェブページ形式の前記情報取得ページを受信するステップと、を含む。
【００１２】
好ましくは、情報取得ページは、ツリー状メニュー構造に従い形成される１つ以上のページを含む。
【００１３】
好ましくは、前記情報取得ページを表示するステップは、
前記電話サービス応答システムと音声通話を行う通話インターフェースにおいて、ウェブページ形式にて前記情報取得ページをローディングして表示する。
【００１４】
好ましくは、前記電話サービス応答システムと音声通話を行う通話インターフェースにおいて、ウェブページ形式にて前記情報取得ページをローディングして表示するステップは、
ユーザがトリガーした表示制御信号を受信するステップ、及び／又は、前記電話サービス応答システムから送信された表示制御信号を受信するステップと、
前記表示制御信号に基づいて前記通話インターフェースにおいて前記情報取得ページを表示するステップと、を含む。
【００１５】
好ましくは、該方法はさらに、
前記電話サービス応答システムに対応する最新バージョンの前記情報取得ページがキャッシングされているか否かを判定するステップと、
前記情報取得ページがキャッシングされていないと判定された場合、前記データチャンネルを介して前記電話サービス応答システムから提供される情報取得ページを取得するステップを実行するステップと、
前記情報取得ページがキャッシングされていると判定された場合、前記情報取得ページを表示するステップを実行するステップと、を含む。
【００１６】
好ましくは、前記電話サービス応答システムとのデータチャンネルを構築するステップは、
前記電話サービス応答システムと直接的に前記データチャンネルを構築するステップ、
又は、
第三者サービスプラットホームを介して、自端において前記電話サービス応答システムとの間で前記データチャンネルを構築するステップを含む。
【００１７】
本発明の実施例の第２の局面によれば、ユーザ端末と音声通話を行う際に、前記ユーザ端末とのデータチャンネルを構築するステップと、
前記データチャンネルを介して、情報取得ページを表示すると共に前記情報取得ページにおいてフィードバック情報を受け付けるための前記ユーザ端末に、前記情報取得ページを提供するステップと、
前記ユーザ端末から前記データチャンネルを介して送信された前記フィードバック情報を受信する。
【００１８】
好ましくは、前記データチャンネルを介して前記ユーザ端末に情報取得ページを提供するステップは、
前記データチャンネルを介してウェブページ形式にて前記ユーザ端末に前記情報取得ページを提供するステップを、含む。
【００１９】
好ましくは、前記データチャンネルを介してウェブページにて前記ユーザ端末に前記情報取得ページを提供するステップは、
前記データチャンネルを介して前記ユーザ端末から送信されたページ取得請求を受信し、前記ページ取得請求に応じて前記ユーザ端末にウェブページ形式の前記情報取得ページを提供するステップ、
及び／又は、
前記データチャンネルを介して前記ユーザ端末にウェブページ形式の前記情報取得ページをプッシュするステップ、を含む。
【００２０】
好ましくは、情報取得ページは、ツリー状メニュー構造に従い形成される１つ以上のページを含む。
【００２１】
好ましくは、該方法はさらに、
表示制御指令を受信するステップと、
前記表示制御指令に応じて、表示制御信号に基づいて通話インターフェースにおいて前記情報取得ページを表示するための前記ユーザ端末に、前記表示制御信号を送信するステップと、を含む。
【００２２】
好ましくは、前記ユーザ端末とのデータチャンネルを構築するステップは、
前記ユーザ端末と直接的に前記データチャンネルを構築するステップ、
又は、
第三者サービスプラットホームを介して自端において前記ユーザ端末との間で前記データチャンネルを構築するステップを、含む。
【００２３】
本発明の実施例の第３の局面によれば、情報取得装置を提供し、装置は、
電話サービス応答システムと音声通話を行う際に、前記電話サービス応答システムとのデータチャンネルを構築するように構成されているサービス応答チャンネルモジュールと、
前記データチャンネルを介して前記電話サービス応答システムから提供される情報取得ページを取得するように構成されているページ取得モジュールと、
前記情報取得ページを表示するように構成されているページ表示モジュールと、
前記情報取得ページにおいてフィードバック情報を受け付けた場合に、前記データチャンネルを介して前記電話サービス応答システムに前記フィードバック情報を送信するように構成されている情報送信モジュールと、を含む。
【００２４】
好ましくは、前記ページ取得モジュールは、
前記データチャンネルを介して前記電話サービス応答システムからウェブページ形式にて提供された情報取得ページを取得するように構成されているウェブページ取得サブモジュールを含む。
【００２５】
好ましくは、前記ウェブページ取得サブモジュールは、
前記データチャンネルを介して前記電話サービス応答システムにページ取得請求を送信するように構成されている請求送信サブモジュール、及び、前記電話サービス応答システムから前記ページ取得請求に応じてフィードバックされたウェブページ形式の前記情報取得ページを受信するように構成されているページ受信サブモジュール、
及び／又は、
前記データチャンネルを介して前記電話サービス応答システムからプッシュされたウェブページ形式の前記情報取得ページを受信するように構成されているプッシュ受信サブモジュールと、を含む。
【００２６】
好ましくは、情報取得ページは、ツリー状メニュー構造に従い形成される１つ以上のページを含む。
【００２７】
好ましくは、前記ページ表示モジュールは、
前記電話サービス応答システムと音声通話を行う通話インターフェースにおいて、ウェブページ形式にて前記情報取得ページをローディングして表示するように構成されているウェブページ表示サブモジュールを含む。
【００２８】
好ましくは、前記ウェブページ表示サブモジュールは、
ユーザがトリガーした表示制御信号を受信する、及び／又は、前記電話サービス応答システムから送信された表示制御信号を受信するように構成されている信号受信サブモジュールと、
前記表示制御信号に基づいて前記通話インターフェースにおいて前記情報取得ページを表示するように構成されている信号表示サブモジュールと、を含む。
【００２９】
好ましくは、該装置は更に、
前記電話サービス応答システムに対応する最新バージョンの前記情報取得ページがキャッシングされているか否かを判定するように構成されているキャッシング判定モジュールと、
前記情報取得ページがキャッシングされていないと判定された場合、前記データチャンネルを介して前記電話サービス応答システムから提供された情報取得ページを取得するように構成されている前記ページ取得モジュールと、
前記情報取得ページがキャッシングされていると判定された場合、前記情報取得ページを表示するように構成されている前記ページ表示モジュールと、を含む。
【００３０】
好ましくは、サービス応答チャンネルモジュールは、
前記電話サービス応答システムと前記データチャンネルを直接的に構築するように構成されているユーザ直接接続用サブモジュール、
又は、
第三者サービスプラットホームを介して自端において前記電話サービス応答システムとの間で前記データチャンネルを構築するように構成されているユーザ中継用サブモジュールを、含む。
【００３１】
本発明の実施例の第４の局面によれば、情報取得装置を提供し、該装置は、
ユーザ端末と音声通話を行う際に、前記ユーザ端末とのデータチャンネルを構築するように構成されているユーザチャンネルモジュールと、
前記データチャンネルを介して、情報取得ページを表示するとともに前記情報取得ページにおいてフィードバック情報を受け付けるための前記ユーザ端末に、前記情報取得ページを提供するページ提供モジュールと、
前記ユーザ端末から前記データチャンネルを介して送信された前記フィードバック情報を受信する情報受信モジュールと、を含む。
【００３２】
好ましくは、ページ提供モジュールは、
前記データチャンネルを介してウェブページ形式にて前記ユーザ端末に前記情報取得ページを提供するように構成されているウェブページ提供サブモジュールを含む。
【００３３】
好ましくは、ウェブページ提供サブモジュールは、
前記ウェブページ提供サブモジュールは、
前記データチャンネルを介して前記ユーザ端末から送信されたページ取得請求を受信するように構成されている受信請求サブモジュール、及び、前記ページ取得請求に応じて前記ユーザ端末にウェブページ形式の前記情報取得ページを提供するように構成されているページ提供サブモジュール、
及び／又は、
前記データチャンネルを介して前記ユーザ端末にウェブページ形式の前記情報取得ページをプッシュするように構成されているページプッシュサブモジュール、を含む。
【００３４】
好ましくは、情報取得ページは、ツリー状メニュー構造に従い形成される１つ以上のページを含む。
【００３５】
好ましくは、該装置はさらに、
表示制御指令を受信するように構成されている指令受信モジュールと、
前記表示制御指令に応じて、表示制御信号に基づいて通話インターフェースにおいて前記情報取得ページを表示するための前記ユーザ端末に、前記表示制御信号を送信するように構成されている信号送信モジュールと、を含む。
【００３６】
好ましくは、ユーザチャンネルモジュールは、
直接的に前記ユーザ端末と前記データチャンネルを構築するように構成されているサービス応答直接接続用サブモジュール、
又は、
第三者サービスプラットホームを介して自端において前記ユーザ端末との間で前記データチャンネルを構築するように構成されているサービス応答中継用サブモジュールを、含む。
【００３７】
本発明の実施例の第５の局面によれば、情報取得装置を提供し、該装置は、
プロセッサと、
前記プロセッサにより実行可能な指令を記憶するメモリと、を備え、
前記プロセッサは、
電話サービス応答システムと音声通話を行う際に前記電話サービス応答システムとのデータチャンネルを構築し、
前記データチャンネルを介して前記電話サービス応答システムから提供される情報取得ページを取得し、
前記情報取得ページを表示し、
前記情報取得ページにおいてフィードバック情報を受け付けた場合、前記データチャンネルを介して前記電話サービス応答システムに前記フィードバック情報を送信する。
【００３８】
本発明の実施例の第６の局面によれば、情報取得装置を提供し、該装置は、
プロセッサと、
前記プロセッサにより実行可能な指令を記憶するメモリと、を備え、
前記プロセッサは、
ユーザ端末と音声通話を行う際に、前記ユーザ端末とのデータチャンネルを構築し、
前記データチャンネルを介して、情報取得ページを表示するとともに前記情報取得ページにおいてフィードバック情報を受け付けるための前記ユーザ端末に、前記情報取得ページを提供し、
前記ユーザ端末から前記データチャンネルを介して送信された前記フィードバック情報を受信する。
【００３９】
本発明の実施例に係る技術案は、以下の有益な効果を有する。
【００４０】
電話サービス応答システムと構築されているデータチャンネルを介して、情報取得ページを取得し、且つ、該情報取得ページを介して満足度調査を行うことで、従来技術におけるメッセージで満足度調査を行う際にユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【００４１】
以上の一般的な記述及び以下の詳細な記述は、例示のものに過ぎず、本開示を限定するものではないと理解すべきである。
【図面の簡単な説明】
【００４２】
ここでの図面は、本明細書の一部として、本発明に適切な実施例を示し、明細書と合わせて本発明の原理を解釈する。
【図１Ａ】本発明の実施例における情報取得方法の２種の実施環境を模式的に示す図である。
【図１Ｂ】本発明の実施例における情報取得方法の２種の実施環境を模式的に示す図である。
【図２】例示的な実施例における情報取得方法を示す方法フローチャートである。
【図３】他の例示的な実施例における情報取得方法を示す方法フローチャートである。
【図４Ａ】他の例示的な実施例における情報取得方法を示す方法フローチャートである。
【図４Ｂ】図４Ａに示す実施例における情報取得ページを模式的に示す図である。
【図５Ａ】他の例示的な実施例における情報取得方法を示す方法フローチャートである。
【図５Ｂ】図５Ａに示す実施例における情報取得ページを模式的に示す図である。
【図６Ａ】他の例示的な実施例における情報取得方法を示す方法フローチャートである。
【図６Ｂ】図６Ａに示す実施例における情報取得ページを模式的に示す図である。
【図７】例示的な実施例における情報取得装置を示すブロック図である。
【図８】他の例示的な実施例における情報取得装置を示すブロック図である。
【図９】他の例示的な実施例における情報取得装置を示すブロック図である。
【図１０】他の例示的な実施例における情報取得装置を示すブロック図である。
【図１１】例示的な実施例における情報取得装置を示すブロック図である。
【図１２】例示的な実施例における情報取得装置を示すブロック図である。
【図１３】例示的な実施例における情報取得システムを示すブロック図である。
【００４３】
本発明について、上記図面で明確の実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００４４】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００４５】
本発明では、通常に音声通話を行うためにＣＳ（Ｃｉｒｃｕｉｔ  Ｓｗｉｔｃｈｅｄ：回路交換）ドメインにおける「音声チャンネル」を用い、該音声チャンネルが電話音声業務の実行に用いられる。
【００４６】
本発明に記載の「データチャンネル」は通常にＰＳ（Ｐａｃｋｅｔ  Ｓｗｉｔｃｈ：グループ交換）ドメイン、又はインターネットワークにおいて構築されるチャンネルであり、データの伝送業務の実行に用いられる。
【００４７】
図１Ａを参照して、それは本発明の実施例に係る情報取得方法の１種の実施環境を模式的に示す図であり、該実施環境はユーザ端末１１０及び電話サービス応答システム１２０を含む。
【００４８】
ユーザ端末１１０は、音声通話を行う際にデータチャンネルを構築する能力を有する電子機器、例えば、スマートフォン、電話機能を有するタブレットＰＣ等である。
【００４９】
電話サービス応答システム１２０は、音声通話を行う際にデータチャンネルを構築する能力を有する電子機器である。
【００５０】
ユーザ端末１１０と電話サービス応答システム１２０との間で音声チャンネルおよびデータチャンネルは構築され得る。
【００５１】
図１Ｂを参照して、それは本発明の実施例における情報取得方法の他の実施環境を模式的に示す図である。該実施環境はユーザ端末１１０、電話サービス応答システム１２０、および第三者サーバ１３０を含む。
【００５２】
ユーザ端末１１０は、音声通話を行う際にデータチャンネルを構築する能力を有する電子機器、例えば、スマートフォン、電話機能を有するタブレットＰＣ等である。
電話サービス応答システム１２０は、音声通話を行う際にデータチャンネルを構築する能力を有する電子機器である。
【００５３】
第三者サービスプラットホーム１３０は１台のサーバ、又は、数台のサーバからなるサーバ群、又は、クラウド・コンピューティングサービスセンタであり得る。
【００５４】
ユーザ端末１１０と電話サービス応答システム１２０との間で直接的に音声チャンネルは構築され得、且つ、ユーザ端末１１０と電話サービス応答システム１２０との間で第三者サービスプラットホーム１３０を介してデータチャンネルは構築され得る。
【００５５】
図２を参照して、それは本発明の例示的な実施例における情報取得方法を示す方法フローチャートである。本実施例では、該情報取得方法が図１Ａに示す実施環境におけるユーザ端末１１０に応用されることを例として説明を行う。該情報取得方法は以下のステップを含み得る。
【００５６】
ステップ２０１において、電話サービス応答システムと音声通話を行う際に、電話サービス応答システムとのデータチャンネルを構築する。
【００５７】
ステップ２０２において、データチャンネルを介して電話サービス応答システムから提供される情報取得ページを取得する。
【００５８】
ステップ２０３において、情報取得ページを表示する。
ステップ２０４において、情報取得ページにおいてフィードバック情報を受け付けた場合に、データチャンネルを介して電話サービス応答システムにフィードバック情報を送信する。
【００５９】
上記のように、本実施例に係る情報取得方法では、電話サービス応答システムと構築されるデータチャンネルを介して情報取得ページを取得し、且つ、該情報取得ページを介して満足度調査を行うことで、従来技術のようにメッセージで満足度調査を行う際にユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【００６０】
図３を参照して、それは本発明の他の例示的な実施例における情報取得方法を示す方法フローチャートである。本実施例では、該情報取得方法が図１Ａに示す実施環境における電話サービス応答システム１２０に応用されることを例として説明を行う。該情報取得方法は以下のステップを含み得る。
【００６１】
ステップ３０１において、ユーザ端末と音声通話を行う際に、ユーザ端末とのデータチャンネルを構築する。
【００６２】
ステップ３０２において、データチャンネルを介して、情報取得ページを表示すると共に情報取得ページにおいてフィードバック情報を受け付けるためのユーザ端末に、情報取得ページを提供する。
【００６３】
ステップ３０３において、ユーザ端末がデータチャンネルを介して送信されたフィードバック情報を受信する。
【００６４】
上記のように、本実施例に係る情報取得方法では、ユーザ端末との間に構築されるデータチャンネルを介してユーザ端末に情報取得ページを提供し、且つ、該情報取得ページを介して満足度調査を行うことで、従来技術におけるメッセージで満足度調査を行う際にユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【００６５】
本発明における「音声通話を行う際」は、音声チャンネルを構築する前の所定の時間帯、音声チャンネルが構築されてある際の時間帯、および音声チャンネルがオフ（切断）された後の所定の時間帯を含み得る。
【００６６】
以下、情報取得を行う時間の相違によって３つの実施例に分けて説明を行う。
【００６７】
第１の実施例では、電話サービス応答システムは、通話後、ユーザ端末からユーザ満足度調査結果を取得する。
【００６８】
図４Ａを参照して、それは、本発明の他の例示的な実施例における情報取得方法を示す方法フローチャートである。本実施例は該情報取得方法が図１Ａ又は図１Ｂに示す実施環境に応用されることを例として説明を行う。該情報取得方法は以下のステップを含み得る。
【００６９】
ステップ４０１において、ユーザ端末が電話サービス応答システムとの音声チャンネルをオフ（切断）にした後、電話サービス応答システムとのデータチャンネルを構築する。
【００７０】
ユーザ端末は、電話サービス応答システムとの音声通話が終了した後、電話サービス応答システムと満足度調査又は他の情報調査に用いられるデータチャンネルを構築し得る。
【００７１】
ここで、該データチャンネルは以下の２つの構築方式を有し得る。
第１の構築方式では、ユーザ端末は電話サービス応答システムと直接的にデータチャンネルを構築する。
【００７２】
第２の構築方式では、ユーザ端末は、それぞれのユーザ端末が本実施例に提供される情報取得方法を行う際の各データを記録するための第三者サービスプラットホームを介して、自端と電話サービス応答システムとの間でデータチャンネルを構築する。
【００７３】
第１の構築方式は以下のサブステップを含む。
【００７４】
第１のステップにおいて、電話サービス応答システムはユーザ端末にデータチャンネル構築請求を送信する。
【００７５】
電話サービス応答システムは、ユーザ端末と通話した後、満足度調査を行う必要がある場合、ユーザ端末にデータチャンネル構築請求を送信し得る。
【００７６】
第２のステップにおいて、ユーザ端末がデータチャンネル構築請求を受けた後、状況に応じて電話サービス応答システムとのデータチャンネルを構築する。
【００７７】
ユーザ端末が電話サービス応答システムとのデータチャンネルを構築するか否かはユーザにより決定され得る。
【００７８】
ここに次のことを説明しておく。ユーザ端末から電話サービス応答システムにデータチャンネル構築請求を送信し、電話サービス応答システムが該請求を受けた後、ユーザ端末とのデータチャンネルを構築するように構成してもよい。
【００７９】
第２の構築方式は以下のサブステップを含む。
【００８０】
第１のステップにおいて、電話サービス応答システムは第三者サービスプラットホームにユーザ端末とのデータチャンネル構築請求を送信する。
【００８１】
第２のステップにおいて、第三者サーバは該データチャンネル構築請求を対応するユーザ端末に送信する。
【００８２】
第３のステップにおいて、ユーザ端末はデータチャンネル構築請求を受信した後、状況に応じて第三者サービスプラットホームを介して電話サービス応答システムとのデータチャンネルを構築する。即ち、電話サービス応答システムは、先ず、第三者サービスプラットホームとの１つのデータチャンネルを構築し、次いで、ユーザ端末は第三者サービスプラットホームとの１つのデータチャンネルを構築する。データチャンネルが構築された後、ユーザ端末と電話サービス応答システムとの間で送信されるデータの何れも第三者サービスプラットホーム介して転送する必要がある。
【００８３】
ユーザ端末が上記のどの方式にて電話サービス応答システムとのデータチャンネルを構築するかは、ユーザ端末、又は、電話サービス応答システムにより状況に応じて設定され得る。
【００８４】
ステップ４０２において、ユーザ端末は、電話サービス応答システムに対応する最新のバージョンの情報取得ページがキャッシング（caching）されているか否かを判定する。
【００８５】
ユーザ端末は電話サービス応答システムとのデータチャンネルを構築した後、先ずローカルに電話サービス応答システムに対応する最新バージョンの情報取得ページがキャッシングされているか否かを判定する。キャッシングされている情報取得ページは履歴通話過程から取得され得る。このステップは以下の２つの状況を含む。
【００８６】
第１の状況では、ユーザ端末には電話サービス応答システムに対応する最新バージョンの情報取得ページがキャッシングされていない場合、データチャンネルを介して電話サービス応答システムから提供された情報取得ページを取得するステップを実行する。
この状況は次のとおり２つの可能性がある。
【００８７】
１）ユーザ端末には非最新バージョンの情報取得ページがキャッシングされている。
【００８８】
ユーザ端末には情報取得ページがキャッシングされているが、該情報取得ページは最新バージョンの情報取得ページではない。即ち、ユーザ端末はデータチャンネルを介して電話サービス応答システムから最新バージョンの情報取得ページのバージョン番号情報を取得して、さらに、該バージョン番号情報によって自体にキャッシングされている情報取得ページが最新バージョンであるか否かを判定し、ユーザ端末にキャッシングされている情報取得ページが最新バージョンでないと判定した場合、ユーザ端末にキャッシングされている情報取得ページが履歴バージョン（旧バージョン）の情報取得ページであり、このとき、ステップ４０３を実行し得る。
【００８９】
２）ユーザ端末には何れのバージョンの情報取得ページもキャッシングされていない。
ユーザ端末には情報取得ページがキャッシングされない場合、直接的にステップ４０３を実行し得る。
【００９０】
ここに次のことを説明しておく。ユーザ端末は電話サービス応答システムに対応する最新バージョンの情報取得ページがキャッシングされないことを判定した場合、電話サービス応答システムに情報取得ページの受信待ち指令を送信することによって、電話サービス応答システムに、ユーザ端末には電話サービス応答システムに対応する最新バージョンの情報取得ページがキャッシングされないことを知らせる。
【００９１】
第２の状況では、ユーザ端末には電話サービス応答システムに対応する最新バージョンの情報取得ページがキャッシングされている場合、情報取得ページを表示するステップを実行する。
【００９２】
ユーザ端末には情報取得ページがキャッシングされ、且つ、該情報取得ページが最新バージョンの情報取得ページである。即ち、電話サービス応答システムはデータチャンネルを介してユーザ端末に最新バージョンの情報取得ページのバージョン情報を提供し得、ユーザ端末はさらに該バージョン情報により、キャッシングされている情報取得ページが最新バージョンであるか否かを判定し、ユーザ端末にキャッシングされている情報取得ページが最新バージョンである場合、ステップ４０４を実行する。
【００９３】
ステップ４０３において、電話サービス応答システムはデータチャンネルを介してユーザ端末に情報取得ページを提供する。
【００９４】
電話サービス応答システムはユーザ端末から送信された情報取得ページの受信待ち指令を受けた後、ユーザ端末に情報取得ページを提供し得、該情報取得ページがウェブページ形式のページであり得、即ち、ユーザ端末がデータチャンネルを介して電話サービス応答システムからウェブページ形式にて提供される情報取得ページを取得し、該ウェブページ形式がＨＴＭＬ（Ｈｙｐｅｒ  Ｔｅｘｔ  Ｍａｒｋｕｐ  Ｌａｎｇｕａｇｅ：ハイパーテキスト マークアップ ランゲージ）を基準とすることができる。
【００９５】
情報取得ページを取得する方式によっては、このステップは以下の２つの状況に分けられる。
【００９６】
第１の状況では、第１のステップにおいて、ユーザ端末はデータチャンネルを介して電話サービス応答システムにページ取得請求を送信する。
【００９７】
この請求は、ユーザ端末により自動的に送信されることもできるし、ユーザがユーザ端末を操作することによって送信されることもできる。
【００９８】
第２のステップにおいて、電話サービス応答システムは、ページ取得請求に応じてユーザ端末にウェブページ形式の情報取得ページを提供する。
【００９９】
即ち、電話サービス応答システムはユーザ端末から送信されるページ取得請求を受けた後、ユーザ端末にウェブページ形式の情報取得ページを送信し、ユーザ端末が該ウェブページ形式の情報取得ページを受信する。
【０１００】
情報取得ページが１つ以上のページを含み得るため、ページ取得請求は情報取得ページにおける全てのページを直接的に取得する請求でもあり得るし、情報取得ページにおける１つのページだけを取得するための請求でもあり得る。例えば、先ず情報取得ページにおけるメインページを取得し、次いで、メインページにおける１つのボタンが押圧されるとき、該ボタンに対応するサブページを取得する。
【０１０１】
第２の状況では、電話サービス応答システムはデータチャンネルを介してユーザ端末にウェブページ形式の情報取得ページをプッシュする。
【０１０２】
即ち、電話サービス応答システムはユーザ端末にウェブページ形式の情報取得ページを直接的に送信して、ユーザ端末が該ウェブページ形式の情報取得ページを受信し、このプッシュ過程が電話サービス応答システムのカスタマーサービス・スタッフにより制御され得る。
【０１０３】
ここに次のことを説明しておく。履歴バージョンの情報取得ページがキャッシングされている場合、ユーザ端末は最新バージョンの情報取得ページを受信する際に、最新バージョンの情報取得ページにおける履歴情報取得ページと同一の部分を受信しなくてもよく、同一の部分の判定情報がステップ４０２におけるユーザ端末の取得した最新バージョンの情報取得ページのバージョン情報に含まれ得る、又は、電話サービス応答システムが先ずユーザ端末にキャッシングされた履歴情報取得ページのバージョン番号を取得して、次いで、該バージョン番号に基づいてユーザ端末に最新バージョンの情報取得ページと履歴情報取得ページとの異なる部分を送信する。このようにして、通信資源の無駄遣いを低減し情報取得效率を向上するという効果が達成できる。
【０１０４】
ステップ４０４において、ユーザ端末は電話サービス応答システムと音声通話を行う通話インターフェースにおいて、ウェブページ形式にて情報取得ページをローディングして表示する。
【０１０５】
この場合、ユーザ端末と電話サービス応答システムとは既に音声チャンネルをオフにしたが、電話サービス応答システムと音声通話を行う通話インターフェースにおいて、ウェブページ形式にて情報取得ページをローディングして表示する。
【０１０６】
ここに次のことを説明しておく。情報取得ページはツリー状メニュー構造に従い形成される１つ以上のページを含み、即ち、情報取得ページは１つのページを含み得るだけでなく、一連の組合せページを含み得る。
【０１０７】
情報取得ページが複数である場合、ユーザ端末はユーザ及び／又はカスタマーサービス・スタッフからの表示制御信号に応じて情報取得ページを表示でき、例えば、今現在に表示されている情報取得ページを切り替える。表示制御信号をトリガーする人によって、表示制御信号の取得方式は以下の２種を含む。
【０１０８】
第１種の方式では、ユーザ端末はユーザがトリガーした表示制御信号を受信し、即ち、ユーザによりユーザ端末を操作して表示制御信号を送信し、この信号がユーザの情報取得ページでの入力によって送信され得る。
【０１０９】
例えば、図４Ｂに示すように、ページ４１はウェブページ形式の情報取得ページのメインページであり、該ページが満足度調査４２、今回サービスアドバイス４３と他の操作４４という３つの選択肢を含んでおり、ユーザが４２をクリックすると、ユーザ端末がセカンダリページ４２ａに移行し、ユーザが４３をクリックすると、ユーザ端末がセカンダリページ４３ａに移行する。例示的には、ユーザが４２をクリックすると、セカンダリページ４２ａに移行し、該ページには非常に満足４２ａ１、満足４２ａ２、不満足４２ａ３、とても不満足４２ａ４および他の選択肢４２ａ５という５つのボタンがあり、４２ａ５をクリックすると、４２ａのセカンダリページ４２ｂに移行し得る。
【０１１０】
第２種の方式では、第１のステップにおいて、電話サービス応答システムは表示制御指令を受信する。
【０１１１】
該表示制御指令は、電話サービス応答システムのカスタマーサービス・スタッフにより電話サービス応答システムを制御して送信され得るし、電話サービス応答システムにおける設定プログラムにより送信され得る。
【０１１２】
第２のステップにおいて、電話サービス応答システムは表示制御指令に応じてユーザ端末に表示制御信号を送信する。
【０１１３】
電話サービス応答システムは表示制御指令を受信した後、該指令に応じてユーザ端末に表示制御信号を送信する。
【０１１４】
第３のステップにおいて、ユーザ端末は電話サービス応答システムから送信された表示制御信号を受信する。
【０１１５】
ユーザ端末はデータチャンネルを介して表示制御信号を受信する。
【０１１６】
即ち、ユーザ端末はユーザ又は電話サービス応答システムの少なくとも一方により制御され得る。実際的な応用過程において、ユーザ端末は上記２種の方式の少なくとも１種の方式にて表示制御信号を取得できる。
【０１１７】
表示制御信号を取得した後、ユーザ端末は表示制御信号に応じて通話インターフェースにおいて情報取得ページを表示する。
【０１１８】
図４Ｂに示すように、電話サービス応答システムのカスタマーサービス・スタッフは直接的に表示制御信号によってユーザ端末表示ページ４２ａを制御して満足度調査を行うこともできる。
【０１１９】
ステップ４０５において、ユーザ端末は情報取得ページにおいてフィードバック情報を受け付けた場合、データチャンネルを介して電話サービス応答システムにフィードバック情報を送信する。
【０１２０】
ユーザ端末は情報取得ページにおいてユーザから入力されたフィードバック情報を受け付けた場合、データチャンネルを介して電話サービス応答システムにフィードバック情報を送信する。例えば、図４Ｂに示すように、ユーザは手動操作、又は電話サービス応答システムによる制御を通じて、ページ４２ａに移行した後、非常に満足４２ａ１、満足４２ａ２、不満足４２ａ３、及びとても不満足４２ａ４という４つのボタンをクリックすることによって、ユーザの満足度調査結果であり得るフィードバック情報を送信する。
【０１２１】
電話サービス応答システムは、ユーザ端末がデータチャンネルを介して送信したフィードバック情報を受信し、即ち、電話サービス応答システムがユーザの満足度調査結果を取得した。
【０１２２】
ステップ４０６において、ユーザ端末はデータチャンネルをオフにする。
【０１２３】
ユーザ端末は電話サービス応答システムにフィードバック情報を送信した後、データチャンネルを主動的にオフにして今回の情報取得過程を終了させることができる。
【０１２４】
上記のように、本実施例に係る情報取得方法では、電話サービス応答システムとユーザ端末との間で構築されるデータチャンネルを介して、ユーザ端末に電話サービス応答システムから情報取得ページを取得させるとともに、該情報取得ページを介して満足度調査を行うことによって、従来技術におけるメッセージで満足度調査を行う際にユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０１２５】
ここに次のように補足説明を行っておく。本実施例に係る情報取得方法では、ユーザが表示制御信号をトリガーする、又は、電話サービス応答システムが表示制御信号を送信するという２種の表示制御方法によって、表示制御方法を多様化し、ユーザ端末が電話サービス応答システムから送信された表示制御信号により表示される場合、ユーザ操作を低減するという効果をさらに達成する。
【０１２６】
ここに次のように補足説明を行っておく。本実施例に係る情報取得方法では、ツリー状メニュー構造に従い形成される情報取得ページを介して、ユーザが対応するボタンをクリックさえすれば、電話サービス応答システムが情報を快速に取得でき、情報取得效率を向上する効果が達成できる。
【０１２７】
ここに次のように補足説明を行っておく。本実施例に係る情報取得方法では、ユーザ端末に電話サービス応答システムに対応する最新バージョンの情報取得ページがキャッシングされているか否かを判定して、ユーザ端末に該最新バージョンの情報取得ページがキャッシングされていると判定された場合、該最新バージョンの情報取得ページを直接的に表示することによって、通信資源の無駄遣いを低減し、情報取得效率を向上するという効果を達成する。
【０１２８】
第２の実施例では、電話サービス応答システムは通話中に、ユーザ端末に対しアンケート調査を行う。
【０１２９】
図５Ａを参照して、それは他の例示的な実施例における情報取得方法を示す方法フローチャートである。本実施例は該情報取得方法が図１Ａ又は図１Ｂに示す実施環境に応用されることを例として説明を行う。該情報取得方法は以下のステップを含み得る。
【０１３０】
ステップ５０１において、ユーザ端末は電話サービス応答システムとの音声チャンネルが構築されてある場合、電話サービス応答システムとのデータチャンネルを構築する。
【０１３１】
ユーザ端末が電話サービス応答システムとの音声チャンネルが構築されてある場合、電話サービス応答システムはユーザ端末とアンケート調査のために用いられるデータチャンネルを構築し得る。
【０１３２】
このステップとしては、図４Ａに提供される情報取得方法におけるステップ４０１に示す内容を参照する。
【０１３３】
ステップ５０２において、ユーザ端末は電話サービス応答システムに対応する最新バージョンの情報取得ページがキャッシングされているか否かを判定する。
【０１３４】
ユーザ端末は電話サービス応答システムとのデータチャンネルを構築した後、先ずローカルには電話サービス応答システムに対応する最新バージョンの情報取得ページがキャッシングされているか否かを判定する。このステップは以下の２種の判定ステップの結果を含む。
【０１３５】
第１の判定ステップにおいて、ユーザ端末には電話サービス応答システムに対応する最新バージョンの情報取得ページがキャッシングされないと、データチャンネルを介して電話サービス応答システムから提供される情報取得ページを取得するステップを実行する。
【０１３６】
この場合、２種の可能性がある。
【０１３７】
１）ユーザ端末には非最新バージョンの情報取得ページがキャッシングされている。
【０１３８】
ユーザ端末がデータチャンネルを介して最新バージョンの情報取得ページのバージョン情報を取得でき、更に、該バージョン情報に基づいて、キャッシングされている情報取得ページが最新バージョンであるか否かを判定し、ユーザ端末にキャッシングされている情報取得ページが最新バージョンではないと判定された場合、ユーザ端末にキャッシングされている情報取得ページが履歴情報取得ページであり、この際に、ステップ５０３を実行する。
【０１３９】
２）ユーザ端末には如何なるバージョンの情報取得ページもキャッシングされていない。
【０１４０】
ユーザ端末には情報取得ページがキャッシングされない場合、直接的にステップ５０３を実行できる。
【０１４１】
ここに次のことを説明しておく。ユーザ端末がこの状況であると判定する場合、電話サービス応答システムに情報取得ページの受信待ち指令を送信することによって、電話サービス応答システムにユーザ端末に電話サービス応答システムに対応する最新バージョンの情報取得ページがキャッシングされないことを通知する。
【０１４２】
第２の判定ステップにおいて、ユーザ端末には電話サービス応答システムに対応する最新バージョンの情報取得ページがキャッシングされている場合、情報取得ページを表示するステップを実行する。
【０１４３】
ユーザ端末には情報取得ページがキャッシングされ、且つ、該情報取得ページが最新バージョンの情報取得ページである。即ち、ユーザ端末はデータチャンネルを介して最新バージョンの情報取得ページのバージョン情報を取得でき、更に、該バージョン情報に基づいて、キャッシングされている情報取得ページが最新バージョンであるか否かを判定し、ユーザ端末にキャッシングされている情報取得ページが最新バージョンであると判定された場合、ステップ５０４を実行する。
【０１４４】
ステップ５０３において、電話サービス応答システムはデータチャンネルを介してユーザ端末に情報取得ページを提供する。
【０１４５】
電話サービス応答システムはユーザ端末から送信された情報取得ページの受信待ち指令を受信した後、ユーザ端末に情報取得ページを提供し得、該情報取得ページがウェブページ形式のページであり得、即ち、ユーザ端末がデータチャンネルを介して電話サービス応答システムがウェブページ形式にて提供する情報取得ページを取得し、該ウェブページ形式がＨＴＭＬ（Ｈｙｐｅｒ  Ｔｅｘｔ  Ｍａｒｋｕｐ  Ｌａｎｇｕａｇｅ：ハイパーテキスト マークアップ ランゲージ）を基準とすることができる。
【０１４６】
情報取得ページの取得方式によっては、このステップは２種の状況に分けられ、この２種の状況が図４Ａに提供される情報取得方法におけるステップ４０３に示す内容を参照できる。
【０１４７】
ここに次のことを説明しておく。本実施例において、２種の情報取得ページの取得方式は組合わせて使用され得、例えば、ユーザ端末が先ずページ取得請求を送信して、電話サービス応答システムから情報取得ページにおけるメインページを取得し、そして、メインページにおける１つのボタンがユーザにより押圧される場合、ユーザ端末が電話サービス応答システムから該ボタンに対応するサブページを取得する。ユーザ端末に１つのサブページが表示された後、ユーザとカスタマーサービス・スタッフとの音声通話過程に応じて、カスタマーサービス・スタッフが更に電話サービス応答システムを介して情報取得ページにおける他のサブページをユーザ端末に主動的にプッシュすることによって、ユーザ端末での表示に役立つ。
【０１４８】
ここに次のことを説明しておく。ユーザ端末には履歴情報取得ページがキャッシングされている場合、最新バージョンの情報取得ページを受信するとき、最新バージョンの情報取得ページと履歴情報取得ページとの同一の部分を受信しなくてもよく、同一の部分の判定情報がステップ５０２におけるユーザ端末の取得した最新バージョンの情報取得ページのバージョン情報に含まれる。又は、電話サービス応答システムが先ずユーザ端末にキャッシングされている履歴情報取得ページのバージョン番号を取得し、更に該バージョン番号に応じてユーザ端末に最新バージョンの情報取得ページと履歴情報取得ページとの異なる部分を送信する。このようにして、通信資源の無駄遣いを低減し、情報取得の効率を向上するという効果が達成できる。
【０１４９】
ステップ５０４において、ユーザ端末は電話サービス応答システムと音声通話を行う通話インターフェースにおいて、ウェブページ形式にて情報取得ページをローディングして表示する。
【０１５０】
ユーザ端末は電話サービス応答システムと音声チャンネルを用いて音声通話を行う通話インターフェースにおいて、ウェブページ形式にて情報取得ページをローディングして表示する。
【０１５１】
ここに次のことを説明しておく。情報取得ページはツリー状メニュー構造に従い形成される１つ以上のページを含み、即ち、情報取得ページは１つのページを含み得るだけでなく、一連の組合せページを含み得る。
【０１５２】
情報取得ページが複数ある場合、ユーザ端末はユーザ及び／又はカスタマーサービス・スタッフの表示制御信号に従い情報取得ページを表示でき、例えば、今現在に表示される情報取得ページを切り替える。
【０１５３】
表示制御信号をトリガーする人によって、表示制御信号の取得方式は以下の２種を含む。
【０１５４】
第１種の方式では、ユーザ端末はユーザがトリガーした表示制御信号を受信し、即ち、ユーザはユーザ端末を操作して表示制御信号を送信し、この信号がユーザによる設定ページにおける入力によって送信され得、該設定ページが予めユーザ端末に記憶されているページであり得る。
【０１５５】
例えば、図５Ｂに示すように、ページ５１はウェブページ形式の情報取得ページのメインページであり、該ページがアンケート調査５２、今回の調査アドバイス５３と他の操作５４という３つの選択肢を含み、ユーザが５２をクリックするとユーザ端末がセカンダリページ５２ａに移行し、ユーザが５３をクリックするとユーザ端末がセカンダリページ５３ａに移行する。例示的には、ユーザが５２をクリックするとセカンダリページ５２ａに移行し、該ページが基本情報調査５２ａ１、仕事状况調査５２ａ２、家庭状况調査５２ａ３、および他の調査５２ａ４という４つのボタンを含み、５２ａ１をクリックすると５２ａのセカンダリページ５２ｂに移行し基本情報のアンケート調査を行うことができる。
【０１５６】
第２種の方式では、第１のステップにおいて、電話サービス応答システムは表示制御指令を受信する。
【０１５７】
該表示制御指令は電話サービス応答システムのカスタマーサービス・スタッフにより電話サービス応答システムを制御して送信され得るし、電話サービス応答システムにおける設定プログラムにより送信され得る。
【０１５８】
第２のステップにおいて、電話サービス応答システムは表示制御指令に応じてユーザ端末に表示制御信号を送信する。
【０１５９】
電話サービス応答システムは、表示制御指令を受信した後、該指令に応じてユーザ端末に表示制御信号を送信する。
【０１６０】
第３のステップにおいて、ユーザ端末は電話サービス応答システムから送信された表示制御信号を受信する。
【０１６１】
ユーザ端末は、データチャンネルを介して表示制御信号を受信する。
【０１６２】
例えば、図５Ｂにおいて、電話サービス応答システムは、ユーザ端末にセカンダリページ５２ｂを表示させ、ユーザに基本的情報のアンケート調査を行わせるように直接的に制御することができる。
【０１６３】
応用過程において、端末は上記２種の方式の少なくとも１種の方式にて表示制御信号を取得し得、即ち、ユーザ端末はユーザ又は電話サービス応答システムの少なくとも一方により制御され得る。
【０１６４】
表示制御信号を取得した後、ユーザ端末は表示制御信号に応じて通話インターフェースにおいて情報取得ページを表示する。
【０１６５】
ステップ５０５において、ユーザ端末は情報取得ページにおいてフィードバック情報を受け付けた場合、データチャンネルを介して電話サービス応答システムにフィードバック情報を送信する。
【０１６６】
ユーザ端末は情報取得ページにおいてユーザから入力されたフィードバック情報を受け付けた場合、データチャンネルを介して電話サービス応答システムにフィードバック情報を送信する。例えば、図５Ｂに示すように、ユーザはセカンダリページ５２ｂに基本情報を書き入れて完了ボタン５２ｂ１をクリックすると、ユーザ端末はユーザにより書き込まれた基本情報をフィードバック情報として電話サービス応答システムに送信する。
【０１６７】
電話サービス応答システムは、ユーザ端末からデータチャンネルを介して送信されたフィードバック情報を受信し、即ち、電話サービス応答システムがユーザに対するアンケート調査を完了する。
【０１６８】
ここに次のことを説明しておく。ユーザに対しアンケート調査を行う場合、電話サービス応答システムは音声チャンネルを介してユーザを補助し得、例えば、ユーザに対しアンケート調査を行う際の注意事項を説明する。
【０１６９】
ステップ５０６において、ユーザ端末は音声チャンネルを介して引き続き電話サービス応答システムと音声通話を行う。
【０１７０】
ユーザ端末は、電話サービス応答システムにフィードバック情報を送信した後、データチャンネルをオフにして電話サービス応答システムと引き続き音声通話を行うこともできるし、データチャンネルをオフにしないまま電話サービス応答システムと音声通話を行い、音声チャンネルとデータチャンネルとの協同作動を実現することもできる。
【０１７１】
上記のように、本実施例に係る情報取得方法では、電話サービス応答システムとユーザ端末との間で構築されているデータチャンネルを介して、ユーザ端末に電話サービス応答システムから情報取得ページを取得させて、該情報取得ページを介して情報取得を行うことで、従来技術におけるメッセージで満足度調査を行う際にユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０１７２】
ここに次のように補足説明を行っておく。本実施例に係る情報取得方法では、ユーザが表示制御信号をトリガーする、又は、電話サービス応答システムから表示制御信号を送信するという２種の表示制御方法によって、表示制御方法を多様化し、ユーザ端末で電話サービス応答システムから送信された表示制御信号により表示される場合、ユーザ操作を低減する効果をも達成する。
【０１７３】
ここに次のように補足説明を行っておく。本実施例に係る情報取得方法では、ツリー状メニュー構造に従い形成される情報取得ページによって、ユーザが対応するボタンをクリックさえすれば、電話サービス応答システムが快速に情報を取得でき、情報取得效率を向上する効果を達成する。
【０１７４】
ここに次のように補足説明を行っておく。本実施例に係る情報取得方法では、ユーザ端末には電話サービス応答システムに対応する最新バージョンの情報取得ページがキャッシングされているか否かを判定し、且つ、ユーザ端末に該最新バージョンの情報取得ページがキャッシングされていると判定された場合、該最新バージョンの情報取得ページを直接的に表示し、通信資源の無駄遣いを低減し、情報取得效率を向上するという効果を達成する。
【０１７５】
第３の実施例では、電話サービス応答システムは通話前に、ユーザ端末が何の種類の音声サービスに接続したいのかに関する情報を取得する。
【０１７６】
図６Ａを参照して、それは本発明の他の実施例における情報取得方法を示す方法プロチャートである。本実施例は該情報取得方法が図１Ａ又は図１Ｂに示す実施環境に応用されることを例として説明を行う。該情報取得方法は以下のような複数のステップを含み得る。
【０１７７】
ステップ６０１において、ユーザ端末は電話サービス応答システムと音声チャンネルを構築する前に、電話サービス応答システムとのデータチャンネルを構築する。
【０１７８】
このステップとしては、図４Ａに提供される情報取得方法におけるステップ４０１に示す内容を参照する。
【０１７９】
ステップ６０２において、ユーザ端末は電話サービス応答システムに対応する最新バージョンの情報取得ページがキャッシングされているか否かを判定する。
【０１８０】
このステップとして、は図４Ａに提供される情報取得方法におけるステップ４０２に示す内容を参照する。
【０１８１】
ユーザ端末には如何なるバージョンの情報取得ページもキャッシングされていない場合、および非最新バージョンの情報取得ページがキャッシングされている場合には、ステップ６０３を実行する。ユーザ端末には最新バージョンの情報取得ページがキャッシングされている場合、ステップ６０４を実行する。
【０１８２】
ステップ６０３において、電話サービス応答システムはデータチャンネルを介してユーザ端末に情報取得ページを提供する。
【０１８３】
電話サービス応答システムはユーザ端末から送信された情報取得ページの受信待ち指令を受信した後、ユーザ端末に情報取得ページを提供し得、該情報取得ページがウェブページ形式のページであり得る。即ち、ユーザ端末はデータチャンネルを介して電話サービス応答システムがウェブページ形式にて提供する情報取得ページを取得し、該ウェブページ形式はＨＴＭＬ（Ｈｙｐｅｒ  Ｔｅｘｔ  Ｍａｒｋｕｐ  Ｌａｎｇｕａｇｅ：ハイパーテキスト マークアップ ランゲージ）を基準とすることができる。
【０１８４】
情報取得ページの取得方式によっては、このステップ以下の２種の状況に分けられる。
【０１８５】
第１種の状況では、第１のステップにおいて、ユーザ端末はデータチャンネルを介して電話サービス応答システムにページ取得請求を送信する。
【０１８６】
この請求はユーザ端末により自動的に送信され得るし、ユーザがユーザ端末を操作して送信され得る。
【０１８７】
第２のステップにおいて、電話サービス応答システムはページ取得請求に応じてユーザ端末にウェブページ形式の情報取得ページを提供する。
【０１８８】
即ち、電話サービス応答システムはユーザ端末から送信されたページ取得請求を受信した後、ユーザ端末にウェブページ形式の情報取得ページを送信し、ユーザ端末が該ウェブページ形式の情報取得ページを受信する。
【０１８９】
情報取得ページは１つ以上のページを含み得るため、ページ取得請求は情報取得ページにおける全部ページを直接的に取得する請求でもあり得るし、情報取得ページにおける１つのページだけを取得するための請求でもあり得る。例えば、先ず情報取得ページにおけるメインページを取得し、そして、メインページにおける１つのボタンが押圧される場合、該ボタンに対応するサブページをさらに取得する。
【０１９０】
第２種の状況では、電話サービス応答システムはデータチャンネルを介してユーザ端末にウェブページ形式の情報取得ページをプッシュする。
【０１９１】
即ち、電話サービス応答システムからユーザ端末にウェブページ形式の情報取得ページを直接的に送信し、ユーザ端末は該ウェブページ形式の情報取得ページを受信し、該プッシュ過程は電話サービス応答システムのカスタマーサービス・スタッフにより制御され得る。
【０１９２】
同じ理由より分かるように、情報取得ページは１つ以上のページを含み得るため、電話サービス応答システムは１回のプッシュ過程において情報取得ページにおける全てのページをプッシュすることもできるし、カスタマーサービス・スタッフによる制御に基づいて、一回のプッシュ過程において情報取得ページにおける１つのページをプッシュすることもできる。
【０１９３】
上記２種の取得方式は組合わせて使用され得、例えば、電話サービス応答システムは先ずユーザ端末にプッシュ情報取得ページにおけるメインページをプッシュし、そして、メインページにおける１つのボタンがユーザにより押圧される場合、ユーザ端末は電話サービス応答システムに該ボタンに対応するサブページの取得請求を送信し、ユーザ端末が更に電話サービス応答システムから送信された該ボタンに対応するサブページを受信する。
【０１９４】
ステップ６０４において、ユーザ端末は電話サービス応答システムと音声通話を行う通話インターフェースにおいて、ウェブページ形式にて情報取得ページをローディングして表示する。
【０１９５】
この場合、ユーザ端末と電話サービス応答システムとは、まだ、音声チャンネルを構築していないが、とりあえず通話インターフェースに入るとともに、該通話インターフェースにおいて、ウェブページ形式にて情報取得ページをローディングして表示することができる。
【０１９６】
ここに次のことを説明しておく。情報取得ページはツリー状メニュー構造に従い形成される１つ以上のページを含み、即ち、情報取得ページは１つのページを含み得るだけでなく、一連の組合せページを含み得る。
【０１９７】
情報取得ページが複数ある場合、ユーザ端末はユーザ又はカスタマーサービス・スタッフの表示制御信号に応じて情報取得ページを表示でき、例えば、今現在に表示される情報取得ページを切り替える。表示制御信号をトリガーする人によって、表示制御信号の取得方式は以下の２種を含む。
【０１９８】
第１種の方式では、ユーザ端末はユーザがトリガーした表示制御信号を受信して、即ち、ユーザがユーザ端末を操作して表示制御信号を送信する。この表示制御信号は、ユーザによる１つの情報取得ページにおける入力により送信され得る。
【０１９９】
例えば、図６Ｂに示すように、ページ６１はウェブページ形式の情報取得ページのメインページであり、通話料金照会業務６２、トラヒックセットプラン加入手続き業務６３および他の操作６４という３つの選択肢を含んでおり、ユーザが６２をクリックするとユーザ端末がセカンダリページ６２ａに移行し、ユーザが６３をクリックするとユーザ端末がセカンダリページ６３ａに移行する。例示的には、ユーザが６２をクリックすると、月額通話料金照会６２ａ１、履歴通話料金照会６２ａ２、通話料金残額照会６２ａ３、および前のメニュー戻し６２ａ４という４つのボタンを含むセカンダリページ６２ａに移行する。
【０２００】
第２種の方式では、第１のステップにおいて、電話サービス応答システムは表示制御指令を受信する。
【０２０１】
該表示制御指令は、電話サービス応答システムのカスタマーサービス・スタッフにより電話サービス応答システムを制御して送信され得るし、電話サービス応答システムにおける設定プログラムにより送信され得る。電話サービス応答システムは該表示制御指令を受信する。
【０２０２】
第２のステップにおいて、電話サービス応答システムは表示制御指令に応じてユーザ端末に表示制御信号を送信する。
【０２０３】
電話サービス応答システムは表示制御指令を受信した後、該指令に応じてユーザ端末に表示制御信号を送信する。
【０２０４】
第３のステップにおいて、ユーザ端末は電話サービス応答システムから送信された表示制御信号を受信する。
【０２０５】
ユーザ端末はデータチャンネルを介して表示制御信号を受信する。
【０２０６】
例えば、図６Ｂに示すように、電話サービス応答システムは表示制御信号によってユーザ端末表示ページ６２ａを直接的に制御することによって、ユーザの接続したい音声サービスを選択させ得る。
【０２０７】
応用過程において、端末は上記２種の方式の少なくとも１種にて表示制御信号を取得でき、即ち、ユーザ端末はユーザ又は電話サービス応答システムの少なくとも一方により制御され得る。
【０２０８】
表示制御信号を取得した後、ユーザ端末は表示制御信号に応じて通話インターフェースに表示情報取得ページを表示する。
【０２０９】
ステップ６０５において、ユーザ端末は情報取得ページにおいてフィードバック情報を受け付けた場合、データチャンネルを介して電話サービス応答システムにフィードバック情報を送信する。
【０２１０】
ユーザ端末は情報取得ページにおいてユーザから入力されたフィードバック情報を受け付けた場合、データチャンネルを介して電話サービス応答システムにフィードバック情報送信する。例えば、ユーザは手動操作または電話サービス応答システムによる制御によってページ６２ａに移行した後、月額通話料金照会６２ａ１、履歴通話料金照会６２ａ２又は通話料金残額照会６２ａ３という３つのボタンをクリックすることによって、ユーザが何の音声サービスに接続したいかを表示する情報を含み得るフィードバック情報を送信し得る。
【０２１１】
電話サービス応答システムは、ユーザ端末がデータチャンネルを介して送信したフィードバック情報を受信し、即ち、電話サービス応答システムはユーザが何の音声サービスに接続したいかを表示する情報を取得した。
【０２１２】
ステップ６０６において、電話サービス応答システムはフィードバック情報に基づいてユーザ端末と音声チャンネルを構築する。
【０２１３】
電話サービス応答システムは、ユーザが何の音声サービスを採用したいかを表示する情報を取得した後、ユーザ端末と対応する音声チャンネルを構築する。例えば、図６Ｂに示すように、ユーザは月額通話料金照会６２ａ１をクリックすると、電話サービス応答システムはユーザ端末のために該月の通話料金を検索するための音声チャンネルをオンにする。
【０２１４】
上記のように、本実施例に係る情報取得方法では、電話サービス応答システムとユーザ端末との間で構築されているデータチャンネルを介して、ユーザ端末が電話サービス応答システムから情報取得ページを取得すると共に該情報取得ページを介して情報取得を行うことで、従来技術におけるメッセージで満足度調査を行う際にユーザによる比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０２１５】
ここに次のように補足説明を行っておく。本実施例に係る情報取得方法では、ユーザが表示制御信号をトリガーする、又は、電話サービス応答システムが表示制御信号を送信するという２種の表示制御方法によって、表示制御方法を多様化し、ユーザ端末が電話サービス応答システムから送信された表示制御信号により表示される場合、ユーザによる操作を低減するという効果も達成できる。
【０２１６】
ここに次のように補足説明を行っておく。本実施例に係る情報取得方法では、ツリー状メニュー構造に従い形成される情報取得ページによって、ユーザが対応するボタンをクリックさえすれば、電話サービス応答システムは情報を快速に取得でき、情報取得效率を向上する効果が達成できる。
【０２１７】
ここに次のように補足説明を行っておく。本実施例に係る情報取得方法では、ユーザ端末には電話サービス応答システムに対応する最新バージョンの情報取得ページがキャッシングされているか否かを判定し、且つ、ユーザ端末には該最新バージョンの情報取得ページがキャッシングされていると判定された場合、該最新バージョンの情報取得ページを直接的に表示することによって、通信資源の無駄遣いを低減し、情報取得效率を向上するという効果を達成する。
【０２１８】
ここに次のことを説明しておく。本実施例に係る情報取得方法では、電話サービス応答システムを介してユーザ端末と音声チャンネルを構築する前にユーザが何の音声サービスを採用したいかを表示する情報を取得し、その後、直接的にユーザ端末のために対応する音声サービスをオンにすることができ、電話サービス応答システムの音声チャンネルの作業負荷を低減する効果を達成する。
【０２１９】
以下は本発明の装置の実施例であり、本発明に係る方法の実施例を実行するために用いられる。本発明の装置実施例における開示されない内容については、本発明の方法実施例を参照する。
【０２２０】
図７は例示的な実施例における情報取得装置を示すブロック図である。該情報取得装置はソフトウェア、ハードウェア又は両者の組合せによって、図１に示す実施環境におけるユーザ端末１１０の一部又は全部となることを実現できる。該情報取得装置は、サービス応答チャンネルモジュール７１０、ページ取得モジュール７２０、ページ表示モジュール７３０および情報送信モジュール７４０を含み得る。
【０２２１】
サービス応答チャンネルモジュール７１０は、電話サービス応答システムと音声通話を行う際に、電話サービス応答システムとのデータチャンネルを構築するように構成されている。
【０２２２】
ページ取得モジュール７２０は、データチャンネルを介して電話サービス応答システムから提供される情報取得ページを取得するように構成されている。
【０２２３】
ページ表示モジュール７３０は、情報取得ページを表示するように構成されている。
情報送信モジュール７４０は、情報取得ページにおいてフィードバック情報を受け付けた場合に、データチャンネルを介して電話サービス応答システムにフィードバック情報を送信するように構成されている。
【０２２４】
上記のように、本実施例に係わる情報取得装置では、電話サービス応答システムと構築されているデータチャンネルを介して情報取得ページを取得すると共に、該情報取得ページを介して情報取得を行うことで、従来技術におけるメッセージで満足度調査を行う際にユーザによる比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０２２５】
図８は他の例示的な実施例における情報取得装置を示すブロック図である。該情報取得装置は、ソフトウェア、ハードウェア又は両者の組合せによって、図１に示す実施環境におけるユーザ端末１１０の一部又は全部となることを実現できる。該情報取得装置は、サービス応答チャンネルモジュール７１０、ページ取得モジュール７２０、ページ表示モジュール７３０および情報送信モジュール７４０を含み得る。
【０２２６】
サービス応答チャンネルモジュール７１０は、電話サービス応答システムと音声通話を行う際に、電話サービス応答システムとのデータチャンネルを構築するように構成されている。
【０２２７】
ページ取得モジュール７２０は、データチャンネルを介して電話サービス応答システムから提供される情報取得ページを取得するように構成されている。
【０２２８】
ページ表示モジュール７３０は、情報取得ページを表示するように構成されている。
情報送信モジュール７４０は、情報取得ページにおいてフィードバック情報を受け付けた場合に、データチャンネルを介して電話サービス応答システムにフィードバック情報を送信するように構成されている。
【０２２９】
選択的に、ページ取得モジュール７２０は、データチャンネルを介して、電話サービス応答システムのウェブページ形式にて提供する情報取得ページを取得するように構成されているウェブページ取得サブモジュール７２１を含む。
選択的に、ウェブページ取得サブモジュール７２１は、請求送信サブモジュール７２１ａ、ページ受信サブモジュール７２１ｂ、及び／又は、プッシュ受信サブモジュール７２１ｃを含む。
【０２３０】
請求送信サブモジュール７２１ａは、データチャンネルを介して電話サービス応答システムにページ取得請求を送信するように構成されている。
【０２３１】
ページ受信サブモジュール７２１ｂは、電話サービス応答システムがページ取得請求に応じてフィードバックするウェブページ形式の情報取得ページを受信するように構成されている。
【０２３２】
プッシュ受信サブモジュール７２１ｃは、データチャンネルを介して電話サービス応答システムがプッシュするウェブページ形式の情報取得ページを受信するように構成されている。
【０２３３】
選択的に、情報取得ページはツリー状メニュー構造に従い形成される１つ以上のページを含む。
【０２３４】
選択的に、ページ表示モジュール７３０は、電話サービス応答システムと音声通話を行う通話インターフェースにおいて、ウェブページ形式にて情報取得ページをローディングして表示するように構成されているウェブページ表示サブモジュール７３１を含む。
【０２３５】
選択的に、ウェブページ表示サブモジュール７３１は、ユーザがトリガーした表示制御信号を受信する、及び／又は、電話サービス応答システムから送信された表示制御信号を受信するように構成されている信号受信サブモジュール７３１ａと、表示制御信号に応じて通話インターフェースにおいて情報取得ページを表示するように構成されている信号表示サブモジュール７３１ｂと、を含む。
【０２３６】
選択的に、該装置はさらに、前記電話サービス応答システムに対応する最新バージョンの情報取得ページがキャッシングされているか否かを判定するように構成されているキャッシング判定モジュール７５０と、情報取得ページがキャッシングされない場合、データチャンネルを介して電話サービス応答システムから提供される情報取得ページを取得するように構成されているページ取得モジュール７２０と、情報取得ページがキャッシングされている場合、情報取得ページを表示するように構成されているページ表示モジュール７３０と、を含む。
【０２３７】
選択的に、サービス応答チャンネルモジュール７１０は、ユーザ直接接続用サブモジュール７１１、又は、ユーザ中継用サブモジュール７１２を含む。
【０２３８】
ユーザ直接接続用サブモジュール７１１は、電話サービス応答システムと直接的にデータチャンネルを構築するように構成されている。
【０２３９】
ユーザ中継用サブモジュール７１２は、第三者サービスプラットホームを介して自端において電話サービス応答システムとの間でデータチャンネルを構築するように構成されている。
【０２４０】
上記のように、本実施例に係わる情報取得装置では、電話サービス応答システムと構築されているデータチャンネルを介して情報取得ページを取得し、且つ、該情報取得ページを介して情報取得を行うことで、従来技術におけるメッセージで満足度調査を行う際にユーザによる比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０２４１】
ここに次のように補足説明を行っておく。本実施例に係わる情報取得装置では、ユーザが表示制御信号をトリガーする、又は、電話サービス応答システムから表示制御信号を送信するという２種の表示制御方法によって、表示制御方法を多様化し、ユーザ端末が電話サービス応答システムから送信された表示制御信号により表示される場合、ユーザ操作を低減するという効果をも達成できる。
【０２４２】
ここに次のように補足説明を行っておく。本実施例に係わる情報取得装置では、ツリー状メニュー構造に従い形成される情報取得ページを介して、ユーザが対応するボタンをクリックさえすれば、電話サービス応答システムが情報を快速に取得し、情報取得效率を向上する効果が達成できる。
【０２４３】
ここに次のように補足説明を行っておく。本実施例に係わる情報取得装置では、ユーザ端末には電話サービス応答システムに対応する最新バージョンの情報取得ページがキャッシングされているか否かを判定し、且つ、ユーザ端末に該最新バージョンの情報取得ページがキャッシングされていると判定された場合、該最新バージョンの情報取得ページを直接的に表示することによって、通信資源の無駄遣いを低減し、情報取得效率を向上するという効果を達成する。
【０２４４】
図９は他の例示的な実施例における情報取得装置を示すブロック図である。該情報取得装置はソフトウェア、ハードウェア又は両者の組合せによって、図１に示す実施環境における電話サービス応答システム１２０の一部又は全部となることを実現できる。該情報取得装置は、ユーザチャンネルモジュール９１０と、ページ提供モジュール９２０および情報受信モジュール９３０とを含み得る。
【０２４５】
ユーザチャンネルモジュール９１０は、ユーザ端末と音声通話を行う際に、ユーザ端末とのデータチャンネルを構築するように構成されている。
【０２４６】
ページ提供モジュール９２０は、データチャンネルを介して情報取得ページを表示すると共に、情報取得ページにおいてフィードバック情報を受け付けるためのユーザ端末に情報取得ページを提供するように構成されている。
【０２４７】
情報受信モジュール９３０は、ユーザ端末がデータチャンネルを介して送信したフィードバック情報を受信するように構成されている。
【０２４８】
上記のように、本実施例に係わる情報取得装置では、ユーザ端末と構築されているデータチャンネルを介してユーザ端末に情報取得ページを提供し、且つ、該情報取得ページを介して情報取得を行うことで、従来技術におけるメッセージで満足度調査を行う際にユーザによる比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０２４９】
図１０は他の例示的な実施例における情報取得装置を示すブロック図である。該情報取得装置はソフトウェア、ハードウェア又は両者の組合せによって、図１に示す実施環境における電話サービス応答システム１２０の一部又は全部となることを実現できる。該情報取得装置は、ユーザチャンネルモジュール９１０と、ページ提供モジュール９２０と情報受信モジュール９３０とを含み得る。
【０２５０】
ユーザチャンネルモジュール９１０は、ユーザ端末と音声通話を行う際に、ユーザ端末とのデータチャンネルを構築するように構成されている。
【０２５１】
ページ提供モジュール９２０は、データチャンネルを介して情報取得ページを表示すると共に、情報取得ページにおいてフィードバック情報を受け付けるためのユーザ端末に情報取得ページを提供するように構成されている。
【０２５２】
情報受信モジュール９３０は、ユーザ端末がデータチャンネルを介して送信したフィードバック情報を受信するように構成されている。
【０２５３】
選択的に、ページ提供モジュール９２０は、データチャンネルを介してウェブページ形式にてユーザ端末に情報取得ページを提供するように構成されているウェブページ提供サブモジュール９２１を含む。
【０２５４】
選択的に、ウェブページ提供サブモジュール９２１は、受信請求サブモジュール９２１ａ、ページ提供サブモジュール９２１ｂ、及び／又は、ページプッシュサブモジュール９２１ｃを含む。
【０２５５】
受信請求サブモジュール９２１ａは、データチャンネルを介してユーザ端末から送信されたページ取得請求を受信するように構成されている。
【０２５６】
ページ提供サブモジュール９２１ｂは、ページ取得請求に応じてユーザ端末にウェブページ形式の情報取得ページを提供するように構成されている。
【０２５７】
ページプッシュサブモジュール９２１ｃは、データチャンネルを介してユーザ端末にウェブページ形式の情報取得ページをプッシュするように構成されている。
【０２５８】
選択的に、情報取得ページはツリー状メニュー構造に従い形成される１つ以上のページを含む。
【０２５９】
選択的に、該装置はさらに、表示制御指令を受信するように構成されている指令受信モジュール９４０と、
表示制御指令に基づいて、表示制御信号に応じて、通話インターフェースにおいて情報取得ページを表示するためのユーザ端末に、表示制御信号を送信するように構成されている信号送信モジュール９５０と、を含む。
【０２６０】
選択的に、ユーザチャンネルモジュール９１０は、サービス応答直接接続用サブモジュール９１１、又は、サービス応答中継用サブモジュール９１２を含む。
【０２６１】
サービス応答直接接続用サブモジュール９１１は、前記ユーザ端末と直接的にデータチャンネルを構築するように構成されている。
【０２６２】
サービス応答中継用サブモジュール９１２は、第三者サービスプラットホームを介して自端においてユーザ端末との間でデータチャンネルを構築するように構成されている。
【０２６３】
上記のように、本実施例に係わる情報取得装置では、ユーザ端末と構築されているデータチャンネルを介してユーザ端末に情報取得ページを提供し、且つ、該情報取得ページを介して情報取得を行うことで、従来技術におけるメッセージで満足度調査を行う際にユーザによる比較的多くの入力操作を必要とし、且つ、一旦メッセージ内容の入力フォーマットが間違ったら、ユーザ端末の満足度調査結果を取得できなくなり、過程全体の取得效率が比較的低いという課題が解決され、ユーザが情報取得ページにおいて簡単な操作を実行さえすれば、電話サービス応答システムがフィードバック情報を得られるという効果が達成できる。
【０２６４】
ここに次のように補足説明を行っておく。本実施例に係わる情報取得装置では、ユーザが表示制御信号をトリガーする、又は、電話サービス応答システムから表示制御信号を送信するという２種の表示制御方法によって、表示制御方法を多様化し、ユーザ端末が電話サービス応答システムから送信された表示制御信号により表示される場合、ユーザ操作を低減するという効果も達成できる。
【０２６５】
ここに次のように補足説明を行っておく。本実施例に係わる情報取得装置では、ツリー状メニュー構造に従い形成される情報取得ページを介して、ユーザが対応するボタンをクリックさえすれば、電話サービス応答システムは情報を快速に取得でき、情報取得效率を向上する効果が達成できる。
【０２６６】
ここに次のように補足説明を行っておく。本実施例に係わる情報取得装置では、ユーザ端末には電話サービス応答システムに対応する最新バージョンの情報取得ページがキャッシングされているか否かを判定し、且つ、ユーザ端末には該最新バージョンの情報取得ページがキャッシングされていると判定された場合、該最新バージョンの情報取得ページを直接的に表示することによって、通信資源の無駄遣いを低減し、情報取得效率を向上するという効果を達成する。
【０２６７】
上記実施例に係る装置に関しては、その各モジュールが操作を実行する具体的な方式は既に該方法に係る実施例において詳細に記載されているので、ここに詳細に説明しない。
【０２６８】
図１１は例示的な実施例における情報取得方法の、ユーザ端末としての装置１１００のブロック図である。例えば、装置１１００は、携帯電話、コンピュータ、デジタル放送端末、メッセージ受発信ユニット、ゲームコンソール、タブレットデバイス、医療機器、フィットネス機器、パーソナルデジタルアシスタント等であってもよい。
【０２６９】
図１１を参照して、装置１１００は、プロセスアセンブリ１１０２、メモリ１１０４、電力アセンブリ１１０６、マルチメディアアセンブリ１１０８、オーディオアセンブリ１１１０、入出力（Ｉ／Ｏ）インターフェース１１１２、センサアセンブリ１１１４、及び通信アセンブリ１１１６のような一つ以上のアセンブリを含んでよい。
プロセスアセンブリ１１０２は、一般的には装置１１００の全体の操作を制御するものであり、例えば、表示、電話呼び出し、データ通信、カメラ操作、及び記録操作と関連する操作を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含み、これらによってプロセスアセンブリ１１０２と他のアセンブリの間のインタラクションを容易にするようにしてもよい。例えば、プロセスアセンブリ１１０２は、マルチメディアモジュールを含み、これらによってマルチメディアアセンブリ１１０８とプロセスアセンブリ１１０２の間のインタラクションを容易にするようにしてもよい。
【０２７０】
メモリ１１０４は、各種類のデータを記憶することにより装置１１００の操作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０２７１】
電力アセンブリ１１０６は、装置１１００の多様なアセンブリに電力を供給する。電力アセンブリ１１０６は、電源管理システム、一つ以上の電源、及び装置１１００のための電力の生成、管理及び割り当てに関連する他のアセンブリを含んでもよい。
【０２７２】
マルチメディアアセンブリ１１０８は、前記装置１１００とユーザの間に一つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１１０８は、一つのフロントカメラ、及び／又はリアカメラを含む。装置１１００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０２７３】
オーディオアセンブリ１１１０は、オーディオ信号をインターフェースするように構成されてもよい。例えば、オーディオアセンブリ１１１０は、一つのマイク（ＭＩＣ）を含み、装置１１００、例えば発信しモード、記録モード、及び音声認識モード等の操作モードにある場合、マイクは外部のオーディオ信号を受信することができる。受信されたオーディオ信号は、さらにメモリ１１０４に記憶されたり、通信アセンブリ１１１６を介して送信されたりされる。上記の実施例において、オーディオアセンブリ１１１０は、オーディオ信号を出力するための一つのスピーカーをさらに含む。
【０２７４】
Ｉ／Ｏインターフェース１１１２は、プロセスアセンブリ１１０２と周辺インターフェイスモジュールの間にインターフェースを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０２７５】
センサアセンブリ１１１４は、装置１１００に各方面の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、例えば、センサアセンブリ１１１４は、装置１１００、或は装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ図像センサのような光センサを含んでもよい。上記の実施例において、当該センサアセンブリ１１１４は、加速度センサ、ジャイロスコープセンサ、磁気センサ、圧力センサ、及び温度センサをさらに含んでもよい。
【０２７６】
通信アセンブリ１１１６は、装置１１００と他の機器の間に有線、又は无線形態の通信を提供する。装置１１００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、前記通信アセンブリ１１１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０２７７】
例示的な実施例において、装置１１００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０２７８】
例示的な実施例において、さらに、命令を含む非一時的なコンピュータで読み取り可能な記憶媒体、例えば命令を含むメモリ１１０４を提供しており、装置１１００のプロセッサ１１２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０２７９】
非一時的なコンピュータで読み取り可能な記憶媒体は、当該記録媒体のコマンドがモバイル端末のプロセッサによって実行される際に、モバイル端末に撮影制御方法を実行させることができる。
【０２８０】
図１２は例示的な実施例における情報取得装置１２００に用いられるブロック図である。例えば、装置１２００として電話サービス応答システム又は第三者サービスプラットホームは提供され得る。図１２を参照して、装置１２００は１つ又は複数のプロセッサを含むプロセスアセンブリ１２２２と、メモリ１２３２が代表となり、例えばアプリケーションなどのプロセスアセンブリ１２２２により実行可能な各種コマンドを記憶する記憶媒体ソースと、を備える。メモリ１２３２内に記憶されたアプリケーションは、１つ又は１つ以上のモジュールを含み、当該１つ又は１つ以上のモジュールは、それぞれ１組のコマンドに対応する。また、プロセスアセンブリ１２２２は、コマンドを実行するように構成され、これにより、上記任意の実施例に提供される情報取得方法を実行する。
【０２８１】
サーバ１２００は、さらに、サーバ１２００の給電管理を行うための電源アセンブリ１２２６と、サーバ１２００とネットワークと接続するための有線又は無線のネットワークインターフェース１２５０と、入出力（Ｉ／Ｏ）インターフェース１２５８とを備える。サーバ１２００は、例えば、Ｗｉｎｄｏｗｓ  ＳｅｒｖｅｒＴＭ，Ｍａｃ  ＯＳ  ＸＴＭ，ＵｎｉｘＴＭ，ＬｉｎｕｘＴＭ，ＦｒｅｅＢＳＤＴＭなどの、メモリ１２３２に記憶された操作システムにおいて操作を行うことができる。
【０２８２】
図１３を参照して、それは本発明の一実施例における情報取得システムを模式的に示すブロック図を示している。該システムはユーザ端末１３１０と電話サービス応答システム１３３０とを含む。
【０２８３】
端末１３１０は、図７に示す装置、図８に示す装置、又は図１１に示す装置からなる群から選ばれた任意の１つを含み得る。
【０２８４】
電話サービス応答システム１３３０は図９に示す装置、図１０に示す装置および図１２に示す装置からなる群から選ばれた任意の１つを含み得る。
【０２８５】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０２８６】
本発明は、上記において開示された構成又は図面に示した構造に限定されるものではなく、本発明の範囲内であれば、様々な補正又は変更を行うことができる。本発明の範囲は、特許請求の範囲により制限される。
【図１Ａ】
2017502433.tif 000003
【図１Ｂ】
2017502433.tif 000004
【図２】
2017502433.tif 000005
【図３】
2017502433.tif 000006
【図４Ａ】
2017502433.tif 000007
【図４Ｂ】
2017502433.tif 000008
【図５Ａ】
2017502433.tif 000009
【図５Ｂ】
2017502433.tif 000010
【図６Ａ】
2017502433.tif 000011
【図６Ｂ】
2017502433.tif 000012
【図７】
2017502433.tif 000013
【図８】
2017502433.tif 000014
【図９】
2017502433.tif 000015
【図１０】
2017502433.tif 000016
【図１１】
2017502433.tif 000017
【図１２】
2017502433.tif 000018
【図１３】
2017502433.tif 000019
【手続補正書】
【提出日】平成27年3月13日(2015.3.13)
【手続補正２】
【補正対象書類名】明細書
【補正対象項目名】０００２
【補正方法】変更
【補正の内容】
【０００２】
本発明は応答発信技術分野に関し、特に、情報取得方法、情報取得装置及び情報取得システム、プログラム及び記録媒体に関する。 
【手続補正３】
【補正対象書類名】明細書
【補正対象項目名】０００７
【補正方法】変更
【補正の内容】
【０００７】
従来技術におけるユーザの比較的多くの入力操作を必要とし、且つ、一旦メッセージ内容の入力フォーマットが間違ったら、ユーザ端末の満足度調査結果を取得できなくなり、過程全体の取得效率が比較的低いという課題を解決するために、本発明の実施例は情報取得方法、情報取得装置及び情報取得システム、プログラム及び記録媒体を提供する。 
【手続補正４】
【補正対象書類名】明細書
【補正対象項目名】００３８
【補正方法】変更
【補正の内容】
【００３８】
本発明の実施例の第６の局面によれば、情報取得装置を提供し、該装置は、プロセッサと、前記プロセッサにより実行可能な指令を記憶するメモリと、を備え、前記プロセッサは、ユーザ端末と音声通話を行う際に、前記ユーザ端末とのデータチャンネルを構築し、前記データチャンネルを介して、情報取得ページを表示するとともに前記情報取得ページにおいてフィードバック情報を受け付けるための前記ユーザ端末に、前記情報取得ページを提供し、前記ユーザ端末から前記データチャンネルを介して送信された前記フィードバック情報を受信する。本発明のその他の方面は、プロセッサに実行されることにより、前記方法を実現することを特徴とするプログラムを提供する。本発明のその他の方面は、前記プログラムが記録された記録媒体を提供する。
【手続補正５】
【補正対象書類名】特許請求の範囲
【補正対象項目名】全文
【補正方法】変更
【補正の内容】
【特許請求の範囲】
【請求項１】
電話サービス応答システムと音声通話を行う際に、前記電話サービス応答システムとのデータチャンネルを構築するステップと、
前記データチャンネルを介して前記電話サービス応答システムから提供される情報取得ページを取得するステップと、
前記情報取得ページを表示するステップと、
前記情報取得ページにおいてフィードバック情報を受け付けた場合、前記データチャンネルを介して前記電話サービス応答システムに前記フィードバック情報を送信するステップと、を含む
ことを特徴とする情報取得方法。
【請求項２】
前記データチャンネルを介して前記電話サービス応答システムから提供される情報取得ページを取得するステップは、
前記データチャンネルを介して前記電話サービス応答システムからウェブページ形式にて提供された情報取得ページを取得する
ことを特徴とする請求項１に記載の方法。
【請求項３】
前記データチャンネルを介して前記電話サービス応答システムからウェブページ形式にて提供された情報取得ページを取得するステップは、
前記データチャンネルを介して前記電話サービス応答システムにページ取得請求を送信し、前記電話サービス応答システムから前記ページ取得請求に応じてフィードバックされたウェブページ形式の前記情報取得ページを受信するステップ、
及び／又は、
前記データチャンネルを介して前記電話サービス応答システムからプッシュされたウェブページ形式の前記情報取得ページを受信するステップと、を含む
ことを特徴とする請求項２に記載の方法。
【請求項４】
前記情報取得ページは、ツリー状メニュー構造に従い形成される１つ以上のページを含むことを特徴とする請求項２又は３に記載の方法。
【請求項５】
前記情報取得ページを表示するステップは、
前記電話サービス応答システムと音声通話を行う通話インターフェースにおいて、ウェブページ形式にて前記情報取得ページをローディングして表示する
ことを特徴とする請求項２又は３に記載の方法。
【請求項６】
前記電話サービス応答システムと音声通話を行う通話インターフェースにおいて、ウェブページ形式にて前記情報取得ページをローディングして表示するステップは、
ユーザがトリガーした表示制御信号を受信するステップ、及び／又は、前記電話サービス応答システムから送信された表示制御信号を受信するステップと、
前記表示制御信号に基づいて前記通話インターフェースにおいて前記情報取得ページを表示するステップと、を含む
ことを特徴とする請求項５に記載の方法。
【請求項７】
前記方法はさらに、
前記電話サービス応答システムに対応する最新バージョンの前記情報取得ページがキャッシングされているか否かを判定するステップと、
前記情報取得ページがキャッシングされていないと判定された場合、前記データチャンネルを介して前記電話サービス応答システムから提供される情報取得ページを取得するステップを実行するステップと、
前記情報取得ページがキャッシングされていると判定された場合、前記情報取得ページを表示するステップを実行するステップと、を含む
ことを特徴とする請求項１〜３のいずれか１項に記載の方法。
【請求項８】
前記電話サービス応答システムとのデータチャンネルを構築するステップは、
前記電話サービス応答システムと直接的に前記データチャンネルを構築するステップ、
又は、
第三者サービスプラットホームを介して、自端において前記電話サービス応答システムとの間で前記データチャンネルを構築するステップを含む
ことを特徴とする請求項１〜３のいずれか１項に記載の方法。
【請求項９】
ユーザ端末と音声通話を行う際に、前記ユーザ端末とのデータチャンネルを構築するステップと、
前記データチャンネルを介して、情報取得ページを表示すると共に前記情報取得ページにおいてフィードバック情報を受け付けるための前記ユーザ端末に、前記情報取得ページを提供するステップと、
前記ユーザ端末から前記データチャンネルを介して送信された前記フィードバック情報を受信する
ことを特徴とする情報取得方法。
【請求項１０】
前記データチャンネルを介して前記ユーザ端末に情報取得ページを提供するステップは、
前記データチャンネルを介してウェブページ形式にて前記ユーザ端末に前記情報取得ページを提供するステップを、含む
ことを特徴とする請求項９に記載の方法。
【請求項１１】
前記データチャンネルを介してウェブページにて前記ユーザ端末に前記情報取得ページを提供するステップは、
前記データチャンネルを介して前記ユーザ端末から送信されたページ取得請求を受信し、前記ページ取得請求に応じて前記ユーザ端末にウェブページ形式の前記情報取得ページを提供するステップ、
及び／又は、
前記データチャンネルを介して前記ユーザ端末にウェブページ形式の前記情報取得ページをプッシュするステップ、を含む
ことを特徴とする請求項１０に記載の方法。
【請求項１２】
前記情報取得ページは、ツリー状メニュー構造に従い形成される１つ以上のページを含む
ことを特徴とする請求項１０又は１１に記載の方法。
【請求項１３】
前記方法は、さらに
表示制御指令を受信するステップと、
前記表示制御指令に応じて、表示制御信号に基づいて通話インターフェースにおいて前記情報取得ページを表示するための前記ユーザ端末に、前記表示制御信号を送信するステップと、を含む
ことを特徴とする請求項９〜１１のいずれか１項に記載の方法。
【請求項１４】
前記ユーザ端末とのデータチャンネルを構築するステップは、
前記ユーザ端末と直接的に前記データチャンネルを構築するステップ、
又は、
第三者サービスプラットホームを介して自端において前記ユーザ端末との間で前記データチャンネルを構築するステップを、含む
ことを特徴とする請求項９〜１１のいずれか１項に記載の方法。
【請求項１５】
電話サービス応答システムと音声通話を行う際に、前記電話サービス応答システムとのデータチャンネルを構築するように構成されているサービス応答チャンネルモジュールと、
前記データチャンネルを介して前記電話サービス応答システムから提供される情報取得ページを取得するように構成されているページ取得モジュールと、
前記情報取得ページを表示するように構成されているページ表示モジュールと、
前記情報取得ページにおいてフィードバック情報を受け付けた場合に、前記データチャンネルを介して前記電話サービス応答システムに前記フィードバック情報を送信するように構成されている情報送信モジュールと、を含む
ことを特徴とする情報取得装置。
【請求項１６】
前記ページ取得モジュールは、
前記データチャンネルを介して前記電話サービス応答システムからウェブページ形式にて提供された情報取得ページを取得するように構成されているウェブページ取得サブモジュールを含む
ことを特徴とする請求項１５に記載の装置。
【請求項１７】
前記ウェブページ取得サブモジュールは、
前記データチャンネルを介して前記電話サービス応答システムにページ取得請求を送信するように構成されている請求送信サブモジュール、及び前記電話サービス応答システムから前記ページ取得請求に応じてフィードバックされたウェブページ形式の前記情報取得ページを受信するように構成されているページ受信サブモジュール、
及び／又は、
前記データチャンネルを介して前記電話サービス応答システムからプッシュされたウェブページ形式の前記情報取得ページを受信するように構成されているプッシュ受信サブモジュールと、を含む
ことを特徴とする請求項１６に記載の装置。
【請求項１８】
前記情報取得ページは、ツリー状メニュー構造に従い形成される１つ以上のページを含むことを特徴とする請求項１６又は１７に記載の装置。
【請求項１９】
前記ページ表示モジュールは、
前記電話サービス応答システムと音声通話を行う通話インターフェースにおいて、ウェブページ形式にて前記情報取得ページをローディングして表示するように構成されているウェブページ表示サブモジュールを含む
ことを特徴とする請求項１６又は１７に記載の装置。
【請求項２０】
前記ウェブページ表示サブモジュールは、
ユーザがトリガーした表示制御信号を受信する、及び／又は、前記電話サービス応答システムから送信された表示制御信号を受信するように構成されている信号受信サブモジュールと、
前記表示制御信号に基づいて前記通話インターフェースにおいて前記情報取得ページを表示するように構成されている信号表示サブモジュールと、を含む
ことを特徴とする請求項１９に記載の装置。
【請求項２１】
前記装置は更に、
前記電話サービス応答システムに対応する最新バージョンの前記情報取得ページがキャッシングされているか否かを判定するように構成されているキャッシング判定モジュールと、
前記情報取得ページがキャッシングされていないと判定された場合、前記データチャンネルを介して前記電話サービス応答システムから提供された情報取得ページを取得するように構成されている前記ページ取得モジュールと、
前記情報取得ページがキャッシングされていると判定された場合、前記情報取得ページを表示するように構成されている前記ページ表示モジュールと、を含む
ことを特徴とする請求項１５〜１７のいずれか１項に記載の装置。
【請求項２２】
前記サービス応答チャンネルモジュールは、
前記電話サービス応答システムと前記データチャンネルを直接的に構築するように構成されているユーザ直接接続用サブモジュール、
又は、
第三者サービスプラットホームを介して自端において前記電話サービス応答システムとの間で前記データチャンネルを構築するように構成されているユーザ中継用サブモジュールを、含む
ことを特徴とする請求項１５〜１７のいずれか１項に記載の装置。
【請求項２３】
ユーザ端末と音声通話を行う際に、前記ユーザ端末とのデータチャンネルを構築するように構成されているユーザチャンネルモジュールと、
前記データチャンネルを介して、情報取得ページを表示するとともに前記情報取得ページにおいてフィードバック情報を受け付けるための前記ユーザ端末に、前記情報取得ページを提供するページ提供モジュールと、
前記ユーザ端末から前記データチャンネルを介して送信された前記フィードバック情報を受信する情報受信モジュールと、を含む
ことを特徴とする情報取得装置。
【請求項２４】
前記ページ提供モジュールは、
前記データチャンネルを介してウェブページ形式にて前記ユーザ端末に前記情報取得ページを提供するように構成されているウェブページ提供サブモジュールを含む
ことを特徴とする請求項２３に記載の装置。
【請求項２５】
前記ウェブページ提供サブモジュールは、
前記データチャンネルを介して前記ユーザ端末から送信されたページ取得請求を受信するように構成されている受信請求サブモジュール、及び、前記ページ取得請求に応じて前記ユーザ端末にウェブページ形式の前記情報取得ページを提供するように構成されているページ提供サブモジュール、
及び／又は、
前記データチャンネルを介して前記ユーザ端末にウェブページ形式の前記情報取得ページをプッシュするように構成されているページプッシュサブモジュール、を含む
ことを特徴とする請求項２４に記載の装置。
【請求項２６】
前記情報取得ページは、ツリー状メニュー構造に従い形成される１つ以上のページを含むことを特徴とする請求項２４又は２５に記載の装置。
【請求項２７】
前記装置はさらに、
表示制御指令を受信するように構成されている指令受信モジュールと、
前記表示制御指令に応じて、表示制御信号に基づいて通話インターフェースにおいて前記情報取得ページを表示するための前記ユーザ端末に、前記表示制御信号を送信するように構成されている信号送信モジュールと、を含む
ことを特徴とする請求項２３〜２５のいずれか１項に記載の装置。
【請求項２８】
前記ユーザチャンネルモジュールは、
直接的に前記ユーザ端末と前記データチャンネルを構築するように構成されているサービス応答直接接続用サブモジュール、
又は、
第三者サービスプラットホームを介して自端において前記ユーザ端末との間で前記データチャンネルを構築するように構成されているサービス応答中継用サブモジュールを、含む
ことを特徴とする請求項２３〜２５のいずれか１項に記載の装置。
【請求項２９】
プロセッサと、
前記プロセッサにより実行可能な指令を記憶するメモリと、を備え、
前記プロセッサは、
電話サービス応答システムと音声通話を行う際に前記電話サービス応答システムとのデータチャンネルを構築し、
前記データチャンネルを介して前記電話サービス応答システムから提供される情報取得ページを取得し、
前記情報取得ページを表示し、
前記情報取得ページにおいてフィードバック情報を受け付けた場合、前記データチャンネルを介して前記電話サービス応答システムに前記フィードバック情報を送信する
ことを特徴とする情報取得装置。
【請求項３０】
プロセッサと、
前記プロセッサにより実行可能な指令を記憶するメモリと、を備え、
前記プロセッサは、
ユーザ端末と音声通話を行う際に、前記ユーザ端末とのデータチャンネルを構築し、
前記データチャンネルを介して、情報取得ページを表示するとともに前記情報取得ページにおいてフィードバック情報を受け付けるための前記ユーザ端末に、前記情報取得ページを提供し、
前記ユーザ端末から前記データチャンネルを介して送信された前記フィードバック情報を受信する
ことを特徴とする情報取得装置。
【請求項３１】
請求項１５〜２２および２９のいずれか１項に記載の装置を含むユーザ端末と、
請求項２３〜２８および３０のいずれか１項に記載の装置を含む電話サービス応答システムとを含む、
ことを特徴とする情報取得システム。
【請求項３２】
プロセッサに実行されることにより、請求項１から請求項１４のいずれかに記載の方法を実現することを特徴とするプログラム。
【請求項３３】
請求項３２に記載のプログラムが記録された記録媒体。 
【国際調査報告】
2017502433.tif 000020
2017502433.tif 000021
2017502433.tif 000022
2017502433.tif 000023